(57)【要約】本発明は、膜メタロペプチダーゼ、特に膜−亜鉛メタロペプチダーゼの活性の調整が、哺乳類、特にヒトにおいて求められている疾患を処置又は予防するための、治療用組成物の調製のための、ＳＭＲ１−ペプチド又は医薬として活性な量の前記ＳＭＲ１−ペプチドの治療的使用、に関する。【特許請求の範囲】
【請求項１】
膜メタロペプチダーゼの活性の調整が、哺乳類、具体的にはヒトにおいて求められている疾患を予防又は処置するための治療用組成物の調製のための、ＳＭＲ１−ペプチド又は医薬として活性な量の前記ＳＭＲ１−ペプチドの治療的使用。
【請求項２】
前記メタロペプチダーゼが膜−亜鉛メタロペプチダーゼである、請求項１に記載の使用。
【請求項３】
ＮＥＰ感受性ペプチドのＮＥＰ誘導型分解の調整が、哺乳類、具体的にはヒトにおいて求められている疾患を予防又は処置するための、請求項２に記載の使用。
【請求項４】
前記ＳＭＲ１−ペプチドがＮＥＰを阻害することにより作用する、請求項３に記載の使用。
【請求項５】
前記ＳＭＲ１−ペプチドがエンケファリン分解を阻害することにより作用する、請求項１〜４のいずれか１項に記載の使用。
【請求項６】
前記ＳＭＲ１−ペプチドが抗侵害受容性の薬剤として作用する、請求項１〜５のいずれか１項に記載の使用。
【請求項７】
前記ＳＭＲ１−ペプチドが鎮痛剤として作用する、請求項１〜６のいずれか１項に記載の使用。
【請求項８】
前記ＳＭＲ１−ペプチドが慢性炎症痛を制御する薬剤として作用する、請求項１〜６のいずれか１項に記載の使用。
【請求項９】
前記ＳＭＲ１−ペプチドが、慢性炎症痛、例えば関節炎又は炎症性腸疾患を制御する薬剤として作用する、請求項８に記載の使用。
【請求項１０】
前記ＳＭＲ１−ペプチドが止痢薬として作用する、請求項１〜６のいずれか１項に記載の使用。
【請求項１１】
前記ＳＭＲ１−ペプチドが内因性のＡ ＩＩの形成の阻害及びサブスタンスＰ， ＢＫ及びＡＮＰの不活性化により作用する、請求項３に記載の使用。
【請求項１２】
前記ＳＭＲ１−ペプチドが血圧降下剤として作用する、請求項１〜６又は１１のいずれか１項に記載の使用。
【請求項１３】
前記ＳＭＲ１−ペプチドがナトリウム利尿剤として作用する、請求項１〜６又は１１のいずれか１項に記載の使用。
【請求項１４】
前記ＳＭＲ１−ペプチドが利尿剤として作用する、請求項１〜６又は１１のいずれか１項に記載の使用。
【請求項１５】
アテローム性動脈硬化症の予防又は処置のための、請求項１に記載の使用。
【請求項１６】
悪性細胞の増殖及び／又は播種の過程の予防又は処置のための、請求項１に記載の使用。
【請求項１７】
感染、例えば細菌又はウイルス感染を処置するための抗感染剤としての、請求項１に記載の使用。
【請求項１８】
免疫−炎症反応を制御するための、請求項１に記載の使用。
【請求項１９】
前記ＳＭＲ１−ペプチドが薬物乱用の処置の代替物として作用する、請求項１に記載の使用。
【請求項２０】
治療用組成物が、式（１）のＳＭＲ１−ペプチド
（１）：Ｘ１ＱＨＸ２Ｘ３Ｘ４（ここで、Ｘ１は水素原子を表し、又はＸ１は次のＸ１ ＝ Ｒ若しくはＧ， Ｘ１＝ ＲＲ， 又はＸ１＝ ＰＲＲ， 又はＸ１＝ ＧＰＲＲ， 又はＸ１＝ ＲＧＰＲＲ， 又は Ｘ１＝ＶＲＧＰＲＲから選択されるアミノ酸鎖を表し、Ｘ２はＮ， Ｇ 又はＤを表し、Ｘ３はＰ又はＬを表し、そしてＸ４はＲ又はＴを表す）を含んで成る、請求項１〜１９のいずれか１項に記載の使用。
【請求項２１】
ＳＭＲ１−ペプチドがＳＭＲ１タンパク質の生物活性誘導体である、請求項１〜１９のいずれか１項に記載の使用。
【請求項２２】
ＳＭＲ１−ペプチド又はその生物活性誘導体が、１又は複数のＤ型のアミノ酸を含んで成る、請求項２０又は２１に記載の使用。
【請求項２３】
ＳＭＲ１−ペプチド又はその生物活性誘導体のペプチドが、生物活性を増強し、あるいは前記ペプチド又はその生物活性誘導体の酵素分解に対する耐性を増強するために、置換され、又は修飾され、又は追加された基を更に含んで成る、請求項２０又は２１に記載の使用。
【請求項２４】
ＱＨＮＰＲペンタペプチドのＮＥＰ結合部位に特異的に結合するリガンド分子をスクリーニングするための方法であって、
ａ）細胞培養物を調製し、又はＱＨＮＰＲペンタペプチドのＮＥＰ結合部位を含む、器官の標本又は組織試料を調製し；
ｂ）試験される候補分子を、半飽和濃度の標識ペンタペプチドと競合して添加し；
ｃ）段階ａ）の細胞培養物、器官の標本又は組織試料を、候補分子の存在下で、特異的な結合が起こるのに十分な時間で、且つそれが起こる条件下でインキュベートし；
ｄ）細胞培養物、器官の標本又は組織試料に特異的に結合する標識を、種々の濃度の候補分子の存在下で定量する、
段階を含んで成る方法。
【請求項２５】
ＱＨＮＰＲペンタペプチドのＮＥＰ結合部位に特異的に結合するリガンド分子の相対的親和性を決定するための方法であって、各候補分子につき請求項２４に記載の方法の段階ａ）， ｂ）， ｃ）及びｄ）を含んで成り、そして段階ｄ）で定量した各候補分子の親和性を、他の候補分子のものと比較する段階ｅ）を更に含んで成る方法。
【請求項２６】
ＱＨＮＰＲペンタペプチドのＮＥＰ結合部位に対して特異的に結合するリガンド分子の親和性を決定するための方法であって、
ａ）細胞培養物を調製し、又はＱＨＮＰＲペンタペプチドのＮＥＰ結合部位を含む、器官の標本又は組織試料を調製し；
ｂ）あらかじめ放射性又は非放射性標識で標識した候補分子を添加し；
ｃ）段階ａ）の細胞培養物、器官の標本又は組織試料を、候補分子の存在下で、特異的な結合が起こるのに十分な時間で、且つそれが起こる条件下でインキュベートし；
ｄ）細胞培養物、器官の標本又は組織試料に特異的に結合した標識を、種々の濃度の標識候補分子の存在下で定量する、
段階を含んで成る方法。
【請求項２７】
ＱＨＮＰＲペンタペプチドのＮＥＰ結合部位に対するアゴニストの生物活性を有するリガンド分子をスクリーニングするための方法であって、
ａ）細胞培養物を調製し、又はＱＨＮＰＲペンタペプチドのＮＥＰ結合部位を含む、器官の標本又は組織試料を調製し；
ｂ）候補分子、半飽和濃度のＱＨＮＰＲ及びＮＥＰ基質の存在下で、初速度の条件下でＮＥＰ酵素活性の測定を可能にする濃度で、段階ａ）の細胞培養物、期間の標本又は組織試料を、ＮＥＰ基質の加水分解が初速度条件下で起こるのに十分な時間インキュベートし；
ｃ）段階ａ）の生物材料中に存在するＮＥＰの加水分解活性を、ＮＥＰ基質の加水分解レベルを測定することによって、それぞれ候補分子の存在下又は不在下で、且つＱＨＮＰＲペプチドの存在下又は不在下で定量する、
段階を含んで成る方法。
【請求項２８】
ＱＨＮＰＲペンタペプチドのＮＥＰ結合部位に対するアンタゴニストの生物活性を有するリガンド分子をスクリーニングするための方法であって、
ａ）細胞培養物を調製し、又はＱＨＮＰＲペンタペプチドのＮＥＰ結合部位を含む、器官の標本又は組織試料を調製し；
ｂ）準最大濃度のＸＱＨＮＰＲペプチド、具体的にはＱＨＮＰＲペプチド及びＮＥＰ基質の存在下で、初速度の条件下でＮＥＰ酵素活性の測定を可能にする濃度で、段階ａ）の細胞培養物、器官の標本又は組織試料を、ＮＥＰ基質の加水分解が初速度の条件下で起こるのに十分な時間、候補分子の存在下でインキュベートし；
ｃ）段階ａ）の生物学的材料中に存在するＮＥＰの活性を、候補リガンド分子の存在下又は不在下で、そしてＱＨＮＰＲの存在下又は不在下でＮＥＰ基質の加水分解レベルを測定することによって定量する、
段階を含んで成る方法。
【請求項２９】
請求項２４〜２８のいずれか１項に記載の方法に従い得ることができる、ＳＭＲ１タンパク質の成熟産物又はＳＭＲ１タンパク質若しくはその成熟産物の、請求項２０に記載の式（１）の構造を有さない生物活性誘導体。
【請求項３０】
−ＮＥＰ受容体又はＮＥＰ受容体のＳＭＲ１−結合部位；
−ＳＭＲ１−ペプチド、
を含んで成る分子複合体。
【請求項３１】
メタロペプチダーゼ活性を増大させ、又は減少させ、あるいはＳＭＲ１−ペプチドと前記メタロペプチダーゼとの間の正常な相互作用を妨げる能力を特徴とする、ＳＭＲ１−ペプチドの生物活性誘導体。
【請求項３２】
前記メタロペプチダーゼが膜−亜鉛メタロペプチダーゼである、請求項３１に記載の生物活性誘導体。
【請求項３３】
前記膜−亜鉛メタロペプチダーゼがＮＥＰであることを特徴とする、請求項３２に記載の生物活性誘導体。
【請求項３４】
ＳＭＲ１−ペプチドが、ＳＭＲ１−ペプチドと相乗的に作用する第二医薬剤を伴う、請求項１〜２３のいずれか１項に記載の使用。
【請求項３５】
内因性ＳＭＲ１タンパク質又はペプチドと膜メタロペプチダーゼとの間の相互作用を調整するための、ＳＭＲ１タンパク質の生物活性誘導体の使用。
【請求項３６】
膜メタロペプチダーゼの活性の調整が求められる疾患を予防又は処置するための治療用組成物の調製のための、内因性ＳＭＲ１タンパク質又はペプチドと前記膜メタロペプチダーゼとの相互作用を調整するための薬剤の使用。
【発明の詳細な説明】
【０００１】
第一の観点において、本発明はＳＭＲ１ペプチドの新規な治療的使用に関する。
【０００２】
本発明者は、すでにＳＭＲ１（顎下腺ラット１タンパク質）と名付けた、プロホルモンの構造を有し、そしてその合成がアンドロゲンの支配下にある、新規のラット顎下腺タンパク質を特徴づけていた（Ｒｏｓｉｎｓｋｙ−Ｃｈｕｐｉｎ ｅｔ ａｌ．， （１９８８）， Ｐｒｏｃ． Ｎａｔｌ． Ａｃａｄ． Ｓｃｉ．ＵＳＡ； ８５（２２）：８５５３−７）及びＰＣＴ特許出願番号ＷＯ ９０／０３９８１）。ＳＭＲ１をコードする遺伝子は、新規の多重遺伝子ファミリーであるＶＣＳファミリーに属し、これはラットの第１４染色体のｐ２１−ｐ２２帯に位置しており（Ｃｏｕｒｔｙ ｅｔ ａｌ．， （１９９６） Ｍｏｌ． Ｂｉｏｌ． Ｅｖｏｌ． １３（６）：７５８−６６； Ｒｏｓｉｎｓｋｙ−Ｃｈｕｐｉｎ ｅｔ ａｌ．， （１９９５） Ｍａｍｍ． Ｇｅｎｏｍｅ ６（２）：１５３−４））、そしていくつかのヒト遺伝子のメンバーが特徴づけられている（Ｉｓｅｍｕｒａ ｅｔ ａｌ．， （１９９７） Ｊ Ｂｉｏｃｈｅｍ １２１：１０２５−１０３０； Ｉｓｅｍｕｒａ ｅｔ ａｌ． （１９９４） Ｊ Ｂｉｏｃｈｅｍ １１５：１１０１−１１０６； Ｉｓｅｍｕｒａ ｅｔ ａｌ．， （１９７９） Ｊ Ｂｉｏｃｈｅｍ ８６：７９−８６； Ｄｉｃｋｉｎｓｏｎ ｅｔ ａｌ． （１９９６） Ｃｕｒｒ Ｅｙｅ Ｒｅｓ １５：３７７−３８６）。当該遺伝子は、多くのホルモン前駆体と類似の構成を有している（Ｒｏｓｉｎｓｋｙ−Ｃｈｕｐｉｎ ｅｔ ａｌ．， （１９９０） ＤＮＡ Ｃｅｌｌ Ｂｉｏｌ． ９（８）：５５３−９）。ＳＭＲ１ ｍＲＮＡは、雄のラットの、顎下腺（ＳＭＧ）の腺房細胞及び前立腺において高度に組織、年齢、そして性別特異的に発現している （Ｒｏｓｉｎｓｋｙ−Ｃｈｕｐｉｎ ｅｔ ａｌ．， （１９９３） Ｈｉｓｔｏｃｈｅｍ． Ｃｙｔｏｃｈｅｍ． ４１（１１）：１６４５−９）。
【０００３】
ｉｎ ｖｉｖｏでは、ＳＭＲ１は、ペプチド−ホルモン前駆体の成熟経路と類似して、成熟ペプチド産物が生成するように、組織及び性別特異的に塩基性アミノ酸対において選択的にプロセシングされる（Ｒｏｕｇｅｏｔ ｅｔ ａｌ．， （１９９４） Ｅｕｒ． Ｊ． Ｂｉｏｃｈｅｍ． ２１９（３）：７６５−７３）。アルギニン残基対における開裂によってＳＭＲ１から生成する、構造的に関連したペプチド（例えばウンデカペプチド：ＶＲＧＰＲＲＱＨＮＰＲ；ヘキサペプチド：ＲＱＨＮＰＲ；及びペンタペプチド：ＱＨＮＰＲ）が、ｉｎ ｖｉｖｏにおいて、対になった塩基性アミノ酸変換酵素、例えばＦｕｒｉｎｅコンバターゼによって、塩基性アミノ酸残基対におけるプロセシングの後に当該前駆体から選択的に成熟し、差示的に、組織、年齢、そして性別に関連して蓄積し、そして多因子的な神経分泌制御により局所的及び全身的に放出される（Ｒｏｕｇｅｏｔ ｅｔ ａｌ， １９９４）。
【０００４】
そのような状況において、ＳＭＲ１ペンタペプチド（ＳＭＲ１−ＱＨＮＰＲ）、更にはシアロルフィン（ｓｉａｌｏｒｐｈｉｎｅ）と命名された、ＳＭＲ１から生成した最終的な成熟ペプチドが、アンドロゲンステロイドに応じて支配的に合成され、そして基本条件において血流中に構成的に放出され、そしてＳＭＧの分泌応答性を制御するアドレナリン受容体の活性化状態に依存する、環境ストレスに応じて急激に放出される。
【０００５】
続いて、循環しているＳＭＲ１ペンタペプチドは、主に腎臓、骨及び歯の組織内の、特異的な結合部位を介して末梢の標的に取り込まれる。
【０００６】
当該ペプチドの標的部位がイオンの捕捉、輸送及び制御の主要組織内に主に局在するという事実は、ＳＭＲ１−ペンタペプチドが、ｉｎ ｖｉｖｏにおいて、無機イオンの恒常性過程を調節する局所的及び全身的な役割を果たしうるという証拠を示している。更に、アンドロゲン制御型ＳＭＲ１−ペンタペプチドが環境ストレスによって急激に分泌されるという事実に関連して、これらの発見は、このＳＭＧ特異的シグナル伝達ペプチドが、雄のラット特異的な行動上の特性、例えば攻撃的な関係及び／又は性交に応じた、そして雌特異的な生理学的特性、例えば妊娠及び授乳に関連する、動的な恒常性の応答の統合的な再建を媒介するのに関与しうるという仮説を本発明者に与えた。
【０００７】
ＷＯ ９８／３７ １００は、ＳＭＲ１タンパク質の成熟産物、具体的には構造式ＸＱＨＮＰＲのペプチドが、無機イオンの濃度に深く関与している器官において特異的な標的を認識していることを開示している。この発見は、ＳＭＲ１−ペプチド（特にＳＭＲ１−ペンタペプチド、ヘキサペプチド又はウンデカペプチド）が、体液の金属イオン濃度の制御における積極的役割、及びそれによる無機イオンの不均衡に関連する全ての代謝疾患におけるこれらのペプチドの治療的役割を果たしていることを本発明者に気づかせた。
【０００８】
すなわち、本明細書に開示されている治療的ペプチドは、体液又は組織中の無機イオンの不均衡によって生じた骨、歯、腎臓、腸、膵臓、胃、又は唾液腺の障害、すなわち副甲状腺機能抗進症又は副甲状腺機能低下症、骨粗鬆症、膵炎、顎下腺結石症、腎結石症又は骨形成異常症を処置し、又は予防するのに有用である。
【０００９】
上述の仮定に基づき、行動上の薬理学的アプローチが行われてきた。ＳＭＲ１−ペプチド、特にＳＭＲ１−ペンタペプチドは、コントロールのラットに見られる活動的な衝動的挙動に対する用量依存的な向上を誘導することが明らかとなった （ＰＣＴ特許出願ＷＯ０１／００ ２２１）。
【００１０】
ＳＭＲ１−ペプチドの作用が起こっている経路を解明するための、必須の段階の１つは、ペプチド−受容体部位の分子特性を研究することであった。特に髄質外部内での、放射性標識されたＳＭＲ１−ペンタペプチドの全身投与によって到達されうる膜結合部位の単離が行われてきた。そのアミノ酸配列の同定は、ｉｎ ｖｉｖｏで当該ペプチドに結合する細胞表面分子が、膜メタロペプチダーゼであり、そして更に具体的には哺乳類のＩＩ型膜内在性亜鉛含有エンドペプチダーゼ、すなわち中性エンドペプチダーゼ２４−１１又はＮＥＰであることを明らかにし、これらはまた、ペプチド作動性シグナルの機能的効力において必須の役割を果たす、ネプライシンサブファミリーに属するエンケファリナーゼとも称される。更に、ラット腎ＮＥＰとＳＭＲ１−ペンタペプチドのｉｎ ｖｉｖｏでの相互作用は、精製したウサギ腎ＮＥＰを用いてｉｎ ｖｉｔｒｏで確認された。
【００１１】
更に、合計のラットの体重のレベルで、良好な（形態学的及び動態学的）一致が、ｉｎ ｖｉｖｏにおいて、循環している放射性標識されたＳＭＲ１−ペンタペプチドが接近することのできる標的器官の分布と既知の合成ＮＥＰ阻害剤（３ＨＨＡＣＢＯ−Ｇｌｙ） （Ｓａｌｅｓ ｅｔ ａｌ， （１９９１） Ｒｅｇｕｒａｔｏｒｙ Ｐｅｐｔｉｄｅｓ ３３， ２０９−２２）のそれとの間で見られた。その他には、多数の意見が、ＳＭＲ１−ペプチドはＮＥＰ活性のＳＭＧ由来の天然のモジュレーター、特に阻害剤であるという仮説について主張している：
１−ＳＭＲ１−ペンタペプチドの組織の取り込みが、薬理学的且つ生化学的にｉｎ ｖｉｖｏで安定であることが明らかとなっており、
２−ＮＥＰが優先的にＸ−Ｐｈｅ結合間でペプチドを開裂することから、ＳＭＲ１−ペプチドがＮＥＰの基質に必要とされる残基を有しておらず、
３−ＳＭＲ１−ペンタペプチドが、潜在的な合成ＮＥＰ阻害剤のために設計された強力な亜鉛キレート化基を有している。
【００１２】
多くのＮＥＰの基質（すなわち、ペプチドホルモン：エンケファリン、サブスタンスＰ、ブラジキニン、アンギオテンシンＩＩ及び心房性ナトリウム利尿ペプチド）を考慮して、ＮＥＰ／ＳＲＭ１−ペンタペプチドの相互作用の生理学的な因果関係は、中枢及び末梢の疼痛近く、炎症現象及び動脈の調子の調整に影響を与えることが予想される（下記のＲｏｑｕｅｓ ｅｔ ａｌ， １９９３）。
【００１３】
中性エンドペプチダーゼＮＥＰ２４−１１は、哺乳類の神経及び末梢組織の両方に分布しており、そして末梢においては、それは特に腎臓及び胎盤において豊富に存在している。これらの組織において、細胞表面メタロペプチダーゼＮＥＰは、ニューロペプチド、全身性免疫調節ペプチド及びペプチドホルモンの分泌後のプロセシング及び代謝に関与している。循環している、又は分泌された制御ペプチドの活性レベルの調節によって、ＮＥＰは、それらの生理学的な受容体媒介性の作用を調整する。それ故に、膜結合型のＮＥＰは潜在的な血管作用性ペプチド、例えばサブスタンスＰ、ブラジキニン（ＢＫ）、心房性ナトリウム利尿ペプチド（ＡＮＰ）及びアンギオテンシンＩＩ（ＡＩＩ）；潜在的な炎症／免疫制御ペプチド、例えばサブスタンスＰ及びＢＫ及びｆＭｅｔ−Ｌｅｕ−Ｐｈｅ （ｆＭＬＰ）；潜在的なオピオイドニューロペプチド、例えばＭｅｔ及びＬｅｕ−エンケファリン（Ｅｎｋ）並びに潜在的な鉱物交換及び体液の恒常性制御ペプチド、例えばＡＭＰ、Ｃ型ナトリウム利尿ペプチド（ＣＮＰ）及びＢ型ナトリウム利尿ペプチド（ＢＮＰ）、の活性を制御するのに関与している。しかしながら、これらのペプチドのレベルは、それらが持続的に放出され、又はそれらの放出が刺激によって引き起こされる領域においてのみ、ＮＥＰ誘導型の形成／分解を介して変化する。
【００１４】
統合的な観点から、ＮＥＰの生物活性は、動脈内血圧の制御、炎症現象及び水−鉱物の恒常性、並びに痛みの過程の調節に関与するペプチド原性シグナルの活性レベルを調節するためにある。臨床的な観点から、このことは、ＮＥＰが種々の病状における重要な薬物の標的であるという事実を立証する。例えば、ＮＥＰを阻害することにより中枢又は末梢の内因性オピオイドの作用のレベル及び期間が増大することで、鎮痛薬及び止痢薬が得られることがあり、あるいは内因性のＡｌｌの形成並びにＢＫ及びＡＮＰの不活性化を阻害することによって、ナトリウム利尿薬及び利尿薬が得られる。ＮＥＰ阻害剤の使用によって内因性ペプチド濃度を修飾する主な利点は、薬理学的作用が天然のエフェクターによって刺激された状態でのみ誘導され、そして、環境的な、行動上の、そして整理病理学的なストレス性刺激によって起こる、天然のエフェクターの持続性の、又は刺激誘発型の放出に臨床的に依存することである （Ｒｏｑｕｅｓ ｅｔ ａｌ， （１９９３） Ｐｈａｒｍａｃｏｌｏｇｉｃａｌ Ｒｅｖｉｅｗｓ ４５， ８７−１４６）。そのようなストレスのある状況においては、天然の潜在的なＮＥＰモジュレーターであるＳＭＲ１−ペプチドも急性的且つ持続的に放出され、分布され、そしてその全身的標的組織、特に腎のＮＥＰ部位に取りこまれることを強調することが重要である（Ｒｏｕｇｅｏｔ ｅｔ ａｌ， １９９７）。それによって、ＳＭＲ１−ペプチドは、ＮＥＰ活性を調整し、そして局所的及び全身的な炎症、昇圧及び／又はストレスに対する恒常性の応答を最適化するために、ｉｎ ｖｉｖｏで動態学的に生物学的利用可能であろう。この統合的観点は、循環している顎下腺（ＳＭＧ）由来の因子が、休止している恒常性の定常状態に寄与するというよりもむしろ、生理学的又は病理学的「ストレス状態」（損傷、外傷又は感染）に関与しうるという仮説に従うものである（Ｒｏｕｇｅｏｔ ｅｔ ａｌ， （２０００） Ｐｅｐｔｉｄｅｓ ２１， ４４３−５５）。
【００１５】
一般的な観点から、生理学的な適応における統合的役割を果たし、そして、特に組織損傷、炎症、及び攻撃的な行動を有する齧歯類において見られる「ストレス条件」のもとで、哺乳類の恒常性の維持に寄与する、頚部交感神経幹（ＣＳＴ）−ＳＭＧの神経内分泌軸の存在を、生理学的な重大性の証拠が証明している。当研究所において集められたデータは、ＳＭＲ１−ペプチドが、膜結合型ＮＥＰ活性の制御を介して、局所的及び全身的な侵害受容性の炎症、昇圧及び／又はイオンの恒常性応答を最適化するように、性別及び種特異的な環境的、行動上又は生理学的特性に適合し、緊急事態に持続的に且つ動的に動員される、新規のシグナル伝達メディエーターであるという確かな証拠を提供する。他には、現時点で、同定された末梢ＮＥＰ活性の最初の天然のレギュレーターであるＳＭＲ１−ペプチドは、このメタロペプチダーゼが、特にラット、ウサギ、そしてヒトの種間において９０％以上の配列相同性で非常に保存されているので、治療分子の新規クラスとして設計されると考えられる。
【００１６】
ＮＥＰ配列との著しい相同性と共に、本発明者によって提示される証拠は更に、ＳＭＲ１−ペプチドが、膜メタロペプチダーゼ、特に亜鉛メタロペプチダーゼの天然のモジュレーター／インヒビターとして働きうることを示唆する（ＧｅｎＢａｎｋアクセスナンバーＰ ０８４７３， Ｍａｌｆｒｏｙ ｅｔ ａｌ， （１９８８） ＦＥＢＳ Ｌｅｔｔ．， ２２９（１）， ２０６−２１０； ＮＰ ２５８４２８， Ｂｏｎｖｏｕｌｏｉｒ ｅｔ ａｌ， （２００１） ＤＮＡ Ｃｅｌｌ Ｂｉｏｌ． ２０（８）， ４９３−４９８；ＮＰ ０３７６４０， Ｍａｌｆｒｏｙ ｅｔ ａｌ． （１９８７） Ｂｉｏｃｈｅｍ Ｂｉｏｐｈｙｓ Ｒｅｓ Ｃｏｍｍｕｎ １４４， ５９−６６）。
【００１７】
ＮＥＰ以外の哺乳類の膜メタロペプチダーゼの例としては、ＥＣＥ（エンドセリン変換酵素）、特にＥＣＥ１及びＥＣＥ２；赤血球細胞表面抗原ＫＥＬＬ及びＸ染色体連鎖の遺伝性低リン血症性くる病に関連するＰＥＸ遺伝子産物、並びにＡＣＥ（アンギオテンシン変換酵素）及びＡＰＮ（アミノペプチダーゼＮ）がある。
【００１８】
ＡＣＥ及び／又はＥＣＥの阻害は、高血圧の処置並びにアテローム性動脈硬化症の予防及び処置においてよく利用されている。
【００１９】
ＮＥＰと一緒にＡＰＮを阻害することは、痛みの処置においてよく利用されている。
【００２０】
関連する膜メタロペプチダーゼの阻害は、腫瘍、すなわち、卵巣ガン、結腸直腸ガン、脳腫瘍、肺ガン、膵臓ガン、胃ガン、及びメラノーマの処置における治療的作用を有し、そして転移、アテローム性動脈硬化症及び／又は高血圧の発症を減らす。関連する膜メタロペプチダーゼの阻害剤はまた、疼痛管理における治療的作用を有している。そのような急性痛に対する抗侵害受容性の作用は、鎮静作用だけでなく、慢性炎症痛、例えば関節炎又は炎症成長疾患に対する作用でもある。
【００２１】
更に、細菌又はウイルスのメタロペプチダーゼの阻害は、抗感染作用を有することが予想される。
【００２２】
病原の宿主組織への侵入並びに免疫学的過程及び炎症の過程において重要な役割を果たすメタロペプチダーゼは、例えばストレプトコッカス・パイオジェネス （Ｓｔｒｅｐｔｏｃｏｃｃｕｓ ｐｙｏｇｅｎｅｓ）、シュードモナス・アエルギノサ（Ｐｓｅｕｄｏｍｏｎａｓ． ａｅｒｕｇｉｎｏｓａ）、ポルフィロモナス・ギンギバリス（Ｐｏｒｐｈｙｒｏｍｏｎａｓ ｇｉｎｇｉｖａｌｉｓ）及びレジオネラ・ニューモフィラ（Ｌｅｇｉｏｎｅｌｌａ ｐｎｅｕｍｏｐｈｉｌａ）のものである。
【００２３】
更に、細菌のメタロペプチダーゼ、特に亜鉛メタロペプチダーゼは、タンパク質分解毒素、例えばＢ．アントラシス（Ｂ． ａｎｔｈｒａｃｉｓ）の毒素（炭疽菌の致死因子）及びＣ．テタヌム（Ｃ． ｔｅｔａｎｕｍ）及びボツリナム（Ｃ． ｂｏｔｕｌｉｎｕｍ）の神経毒によって引き起こされる疾患において重要な役割を果たしている。
【００２４】
他のメタロペプチダーゼは、種々の感染、例えばＨＩＶによって引き起こされる感染において重要な役割を果たしている（ＦＲ ２ ７０７ １６９）。
【００２５】
細菌又はウイルス疾患の処置のためのプロテイナーゼ阻害剤の重要性は、Ｊ． Ｐｏｔｅｍｐａ， Ｊ． Ｔｒａｖｉｓ， （Ｐｒｏｔｅｉｎａｓｅｓ ａｓ ｖｉｒｕｌｅｎｃｅ ｆａｃｔｏｒｓ ｉｎ ｂａｃｔｅｒｉａｌ ｄｉｓｅａｓｅｓ ａｎｄ ａｓ ｐｏｔｅｎｔｉａｌ ｔａｒｇｅｔｓ ｆｏｒ ｔｈｅｒａｐｅｕｔｉｃ ｉｎｔｅｒａｃｔｉｏｎ ｗｉｔｈ ｐｒｏｔｅｉｎａｓｅ ｉｎｈｉｂｉｔｏｒｓ． Ｉｎ ｐｒｏｔｅａｓｅｓ ａｓ ｔａｒｇｅｔｓ ｆｏｒ ｔｈｅｒａｐｙ． ９９， １５９−１８８ − Ｅｄｓ Ｋ． Ｈｅｌｍ， Ｂ．Ｄ． Ｋｏｒａｎｔ ａｎｄ Ｊ．Ｃ． Ｃｈｅｒｏｎｉｓ − Ｓｐｉｎｇｅｒ Ｈａｎｄｂｏｏｋ Ｅｘｐ． Ｐｈａｒｍ． １４０）．により明らかとなっていると考えられる。
【００２６】
メタロペプチダーゼの異なる役割は、Ｔｕｒｎｅｒ ｅｔ ａｌ， （２００１） Ｂｉｏａｓｓａｙｓ， ２３， ２６１−９；Ｋｅｎｎｙ ｅｔ ａｌ， （１９７７） Ｐｒｏｔｅｉｎａｓｅｓ ｉｎ ｍａｍｍａｌｉａｎ ｃｅｌｌｓ ａｎｄ ｔｉｓｓｕｅｓ） ； Ｋｅｎｎｙ ｅｔ ａｌ， （１９８７） ｍａｍｍａｌｉａｎ ｅｃｔｏｅｎｚｙｍｅｓ ； Ｂｅａｕｍｏｎｔ ｅｔ ａｌ， （１９９６） ｚｉｎｃ ｍｅｔａｌｌｏｐｅｐｔｉｄａｓｅｓ ｉｎ ｈｅａｌｔｈ ａｎｄ ｄｉｓｅａｓｅ， １０５−１２９）に開示されている。
【００２７】
本発明の最初の主題は、膜メタロペプチダーゼ、すなわち亜鉛メタロペプチダーゼの活性の調整が求められている、哺乳類、特にヒトの疾患を予防し、又は処置するための治療用組成物の調製のための、ＳＭＲ１−ペプチド又は医薬として活性な量の前記ＳＭＲ１−ペプチドの治療的な使用にある。
【００２８】
本発明の別の主題は、内因性ＳＭＲ１−ペプチドと前記膜メタロペプチダーゼとの間の相互作用を調整するためのＳＭＲ１−ペプチドの生物学的に活性な誘導体の様な薬剤の治療的な使用にある。前記調整は動力学的及び／又は分子的なものである。
【００２９】
「内因性」は、処置されるべき患者の組織で天然に発現し、又は成熟する分子（本明細書ではＳＭＲ１−ペプチド）を言及する。
【００３０】
本発明は更に、前記膜メタロペプチダーゼの活性の調整が求められる疾患を予防し、又は処置するための治療用組成物の調製のための、内因性ＳＭＲ１タンパク質又はペプチドと膜メタロペプチダーゼとの間の相互作用を調整する薬剤の使用に関する。
【００３１】
本発明は、更に具体的には、ＮＥＰ感受性ペプチドのＮＥＰ誘導型分解の調整が求められる、哺乳類、特にヒトの疾患を予防し、又は処置する薬物の調製のための、ＳＭＲ１−ペプチド又は医薬として活性な量のＳＭＲ１−ペプチドの治療的な使用に関する。
【００３２】
本明細書で使用する場合、ＳＭＲ１−ペプチドとは、ＳＭＲ１タンパク質、ＳＭＲ１から産生するペプチドであって、ＳＭＲ１タンパク質の成熟産物と称されるもの、又は前記タンパク質又は前記成熟産物の生物学的に活性な誘導体のうちの１つを意味する。
【００３３】
好ましい態様において、ＳＭＲ１−ペプチドは、構造式（１）：
Ｘ１ＱＨＸ２Ｘ３Ｘ４
（ここで、Ｘ１は水素原子を表し、又はＸ１は次のＸ１ ＝ Ｒ若しくはＧ， Ｘ１＝ ＲＲ， 又はＸ１＝ ＰＲＲ， 又はＸ１＝ ＧＰＲＲ， 又はＸ１＝ ＲＧＰＲＲ， 又は Ｘ１＝ＶＲＧＰＲＲから選択されるアミノ酸鎖を表し、Ｘ２はＮ， Ｇ 又はＤを表し、Ｘ３はＰ又はＬを表し、そしてＸ４はＲ又はＴを表す）の化合物である。
【００３４】
好ましいペプチドは、配列
ラツス・ノルベギウス（Ｒａｔｕｓ ｎｏｒｖｅｇｉｕｓ）由来のＱＨＮＰＲ， ＲＱＨＮＰＲ 及び ＶＲＧＰＲＲＱＨＮＰＲ、
ラツス・ラツス（Ｒａｔｕｓ ｒａｔｕｓ）由来のＱＨＮＬＲ 及び ＲＱＨＮＬＲ
マウス由来のＧＱＨＧＰＲ 及び ＧＱＨＤＰＴ
のペプチドを含んで成る。
【００３５】
上記アミノ酸配列において、
Ｑはグルタミンを表し、
Ｈはヒスチジンを表し，
Ｎはアスパラギンを表し、
Ｇはグリシンを表し、
Ｐはプロリンを表し、
Ｒはアルギニンを表し、
Ｌはロイシンを表し、
Ｔはトレオニンを表し、
Ｄはアスパラギン酸を表し、そして
Ｖはバリンを表す。
【００３６】
ＳＭＲ１−ペプチドの「生物学的に活性な誘導体」は、機能保存的な変異体、相同性タンパク質及びペプチドミメティック、並びに好ましくは親ペプチドの結合特異性及び／又は生理活性を保持するホルモン、抗体又は合成化合物（すなわち、ペプチド又は非ペプチド分子のいずれか）であって以下で定義するものを言及する。それらは、好ましくは、膜メタロペプチダーゼ、更に具体的にはＮＥＰと結合する能力を示す。そのような結合活性は、結合アッセイによって、例えば、ＳＭＲ１誘導体の標識によって、任意に標識した、常用のＮＥＰ基質との競合アッセイによって容易に決定されうる。
【００３７】
「機能保存的変異体」は、タンパク質の所定のアミノ酸残基が、ポリペプチドの全体的なコンフォーメーション及び機能を変化させることなく変化したものであり、限定しないが、アミノ酸を類似の特性（例えば、極性、水素結合能、酸性、塩基性、疎水性、芳香族性等）を有するもので置換したものである。類似の特性を有するアミノ酸は当業界で周知である。例えば、アルギニンとリジンは親水性塩基性アミノ酸であり、そして交換可能である。同様に、イソロイシンは疎水性アミノ酸であり、ロイシン又はバリンと交換可能である。そのような変化は、前記タンパク質又はポリペプチドの見かけの分子量又は等電点にほとんど又は全く影響を及ぼさないことが予想される。保存されていることが示されているもの以外のアミノ酸はタンパク質又は酵素の中で異なることがあり、その結果類似の機能の任意な２つのタンパク質間のタンパク質又はアミノ酸配列の類似性のパーセントが変化することがあり、そして例えば、アラインメントスキームに従い、例えば、類似性がＭＥＧＡＬＩＧＮアルゴリズムを基にしているＣｌｕｓｔｅｒ法によって決定される場合に７０％〜９９％であることもある。「機能保存的変異体」はまた、ＢＬＡＳＴ又はＦＡＳＴＡアルゴリズムによって決定した場合に少なくとも６０％、好ましくは少なくとも７５％、最も好ましくは少なくとも８５％、そしてより更に好ましくは少なくとも９０％のアミノ酸同一性を有し、そして比較される天然又は親のタンパク質又は酵素と同一又は実質的に類似の特性又は機能を有するポリペプチド又は酵素を含む。
【００３８】
「対立遺伝子変異体」は、下文でより詳細に説明するように、更に特に包含される。
【００３９】
本明細書で使用する場合、あらゆる文法的な形及び綴りの変化形の用語「相同」は、スーパーファミリー（例えば、イムノグロブリンスーパーファミリー）由来のタンパク質及び異なる種由来の相同タンパク質（例えば、ミオシンの軽鎖）を含む「共通の進化的起源」を有するタンパク質間の関係を言及する（Ｒｅｅｃｋ ｅｔ ａｌ．，  Ｃｅｌｌ ５０：６６７， １９８７）。そのようなタンパク質は、保存されている位置での特定の残基又はモチーフの類似性（％）又は存在のいずれかの面で、それらの配列類似性によって反映されるような配列の相同性を有している。
【００４０】
従って、あらゆる文法的な形での用語「配列類似性」は、共通の進化的起源を有しうる、又は有しえないタンパク質のアミノ酸配列間の同一性又は一致の程度を言及する（上記のＲｅｅｃｋ ｅｔ ａｌ．， を参照のこと）。しかしながら、一般的な使用法及び簡便的な利用法においては、用語「相同」は、副詞によって、例えば「高度に」によって修飾されている場合、配列の類似性を言及することがあり、そして共通の進化的起源に関連していることもあるし、関連していないこともある。
【００４１】
特定の態様において、２つのアミノ酸配列は、８０％超のアミノ酸が同一であり、又は約９０％超のものが類似で且つ機能的に同一である場合、「実質的に相同」又は「実質的に類似」である。好ましくは類似又は相同の配列は、例えばＧＣＧ（Ｇｅｎｅｔｉｃｓ Ｃｏｍｐｕｔｅｒ Ｇｒｏｕｐ， Ｐｒｏｇｒａｍ Ｍａｎｕａｌ ｆｏ ｔｈｅ ＧＣＧ ｐａｃｋａｇｅ， Ｖｅｒｓｉｏｎ ７， Ｍａｄｉｓｏｎ， Ｗｉｓｃｏｎｓｉｎ）パイルアッププログラム、又は上記プログラム（ＢＬＡＳＴ又はＦＡＳＴＡ等）のいずれかを用いるアラインメントによって同定される。
【００４２】
天然のＮＥＰ基質は主に、中枢及び末梢の疼痛知覚、炎症現象、鉱物の交換及び／又は動脈の調子の調整において重要な役割を果たすペプチドホルモン：エンケファリン、サブスタンスＰ、ブラジキニン、アンギオテンシンＩＩ及び心房性ナトリウム利尿ペプチドである。
【００４３】
更に詳細には、本発明の１つの目的は、末梢、脊髄及び／又は上脊髄レベルを阻害すことにより中枢又は末梢の内因性オピオイド、例えばエンケファリンの作用のレベル及び期間を増大させることによる、鎮痛薬としての上述の治療用ペプチドの使用である。
【００４４】
別の目的には、止痢薬としての上述のペプチドの使用がある。
【００４５】
別の目的には、内因性ＡＩＩの形成の阻害及びサブスタンスＰ、ＢＫ及びＡＮＰの不活性化による、降圧剤、ナトリウム利尿薬及び利尿薬としての上述のペプチドの使用がある。
【００４６】
更なる目的には、アテローム性動脈硬化症を予防し、又は処置するための薬剤としての、上述のペプチドの使用がある。
【００４７】
別の目的には、慢性炎症痛、例えば関節炎又は炎症性腸疾患を含む痛みの処置のための薬剤としての、上述のペプチドの使用がある。
【００４８】
別の目的には、免疫−炎症応答の調節のための薬剤としての、上述のペプチドの使用がある。
【００４９】
別の目的には、悪性細胞の増殖及び播種の過程を予防し、又は処置するための薬剤としての、上述のペプチドの使用がある。
【００５０】
本発明の別の目的には、薬物乱用、すなわちモルヒネ薬乱用の処置に代わるものとしての上述のペプチドの使用がある。
【００５１】
事実、研究によって、薬物乱用の影響の受け易さ、診査料の発生及び薬物依存性が、内因性オピオイド系が既に存在し、又はその修飾及び／又は欠損が誘導された結果であることを示唆した。これに関しては、内因性のエンケファリンの作用を可能にするＳＭＲ１−ペプチドの使用して、慢性のモルヒネ又はヘロインの投与の中断によって生まれる種々の副作用（使用中断の体性の徴候）を減らす。
【００５２】
本発明の更に別の目的には、感染、例えば細菌又はウイルス性疾患を処置するための、上述のペプチドの使用がある。
【００５３】
本発明のための、用語「哺乳類」は、その通常の分類学的な意味で使用され、そして具体的にはヒトを含む。
【００５４】
本発明のために、「ペプチド」は、ペプチド結合によって、直線的な配列で互いに連結したアミノ酸残基の直線的な配列から成る分子である。そのような直線的な配列は、任意に環状であってもよく、すなわち、直鎖ペプチドの末端又はペプチド中のアミノ酸の側鎖は、例えば化学結合によって連結していてもよい。本発明に従うそのようなペプチドは、約３〜約５００アミノ酸を含むことがあり、そして更には二次、三次又は四次構造、並びに他のペプチド又はペプチド以外の分子との分子間会合を含むことがある。そのような分子間会合は、限定しないが、共有結合を介することもあり（例えば、ジスルフィド結合を介する）、又はキレート化、静電的相互作用、疎水性相互作用、水素結合、イオン双極子相互作用、双極子間相互作用、又は上述のものの任意な組み合わせを介することもある。
【００５５】
本発明に従う好ましいペプチドは、
【化１】
2004530640.tif 000002
（当該配列は、ＮからＣへの配置で示しており、そしてＧｌｐはピログルタミン酸であり、そしてＧｌｎはグルタミンであり、Ｈｉｓはヒスチジンであり、Ａｓｎはアスパラギンであり、Ｐｒｏはプロリンであり、Ａｒｇはアルギニンであり、Ｇｌｙはグリシンであり、Ｖａｌはバリンであり、Ｌｅｕはロイシンであり、そしてＴｈｒはトレオニンである）から成る群から選択されるアミノ酸配列を含んで成る。
【００５６】
これらのペプチドにおいては、Ｎ末端での環化／開環により、ＧｌｐとＧｌｎは相互転換する。
【００５７】
尚、本発明に従うある好ましいペプチドは、配列番号１〜８のいずれかで示されるペプチドの対立遺伝子変異体を含んで成り、本質的にそれらから成り、又はそれらから成る。本明細書で使用する場合、「対立遺伝子変異体」は、親ペプチドからの１又は２つのアミノ酸の置換を有するが、親ペプチドの結合特異性及び／又は生理活性を保持しているペプチドである。本明細書で使用する場合、「親ペプチドの結合特異性を保持している」とは、配列番号１〜８に示す実際上のペプチドのうちの１つのものの少なくとも１／１０、更に好ましくは少なくとも１／２、そして最も好ましくは少なくともそれと同じ大きさの親和性で、配列番号１〜８に示すペプチドのうちの１つと結合するモノクローナル又はポリクローナル抗体と結合することができることを意味する。そのような親和性の決定は、好ましくは標準的な競合的結合イムノアッセイ条件下で実施される（Ｒｏｕｇｅｏｔ ｅｔ ａｌ．， （Ｅ． Ｊ． Ｂ． ２１９（３）７６５−７７３）。「親ペプチドの生理活性を保持している」とは、ＮＥＰと結合し、そしてＮＥＰ活性を調整することで、局所的及び全身的侵害受容、炎症、昇圧及び／又はストレスに対するイオンの恒常性応答を最適化する、配列番号１〜８に示したペプチドのいずれか１つの能力を保持していることを意味する。そのような活性が調整されるか否かの決定は、本明細書の更に後文で説明する。用語「対立遺伝子変異体」は、同一のアミノ酸配列を有しない配列番号１〜８に記載のペプチドの任意なヒト機能的ホモログを含むことが具体的に意図される。
【００５８】
本発明に従うペプチドは、当業界で認識された技術を用いて都合良く合成されうる（例えば、Ｍｅｒｒｉｆｉｅｌｄ， Ｊ． Ａｍ． Ｃｈｅｍ． Ｓｏｃ． ８５：２１４９−２１５４を参照のこと）。
【００５９】
また、本発明の一部は、上記親ペプチドの結合特異性及び／又は生理活性を保持する好ましいペプチドミメティックである。本明細書で使用する場合、「ペプチドミメティック」は、ペプチドの複数の特性、好ましくはそれらの結合特異性及び／又は生理活性を模倣する有機分子である。好ましいペプチドミメティックは、好ましくは非天然アミノ酸であるＤアミノ酸をＬアミノ酸の代わりに用いる、本発明に従うペプチドの構造的修飾、立体構造の制限、イソステリックな置換、環化、又は他の修飾によって得られる。他の好ましい修飾には、限定しないが、１又は複数のアミド結合が非アミド結合によって置換されるもの、及び／又は１又は複数のアミノ酸の側鎖が異なる化学的部分によって置換されるもの、あるいは１又は複数のＮ末端、Ｃ末端、又は１又は複数の側鎖が保護基によって保護されるもの、並びに／あるいは二重結合及び／又は環化及び／又は立体特異性が、硬性及び／又は結合親和性を増大させるためにアミノ酸鎖に導入されるもの、が含まれる。
【００６０】
更に他の好ましい修飾には、酵素分解に対する耐性、特に神経、腸、胎盤及び性腺組織による生物学的利用能並びに更に一般的には薬物動態学的特性における向上を増大させることを意図するものが含まれ、そして特に
−親油性アルコールを用いるエステル化（ＣＯＯＨ）、アミド化（ＣＯＯＨ）及び／又はアセチル化（ＮＨ２）によるＮＨ２及びＣＯＯＨ親水性基の保護あるいはＮＨ２末端におけるカルボキシアルキル又は芳香族疎水性鎖の付加；
−ＣＯ−ＮＨのレトロインバーション（ｒｅｔｒｏｉｎｖｅｒｓｉｏｎ）又は還元異性体あるいはアミド官能基のメチル化（又はケトメチレン、メチレンオキシ、ヒドロキシエチレン）；
−Ｌアミノ酸によるＤアミノ酸の置換；
−アミノ酸ペプチド鎖の二量体化、
を含んで成る。
【００６１】
これらの変異体は全て当業界で周知である。従って、本明細書で開示されたペプチドを検討することで、当業者は、当該ペプチドと類似の、又はそれらよりも優れた結合特性を有するペプチドミメティックを設計し、そして生成することが可能である（例えば、Ｈｏｒｗｅｌｌ ｅｔ ａｌ．， Ｂｉｏｏｒｇ． Ｍｅｄ． Ｃｈｅｍ． ４：１５７３ （１９９６）； Ｌｉｓｋａｍｐ ｅｔ ａｌ．， Ｒｅｃｌ． Ｔｒａｖ． Ｃｈｉｍ． Ｐａｙｓ−Ｂａｓ １：１１３ （１９９４）； Ｇａｎｔｅ ｅｔ ａｌ．， Ａｎｇｅｗ． Ｃｈｅｍ． Ｉｎｔ． Ｅｄ． Ｅｎｇｌ． ３３： １６９９ （１９９４）； Ｓｅｅｂａｃｈ ｅｔ ａｌ．， Ｈｅｌｖ． Ｃｈｉｍ． Ａｃｔａ ７９： ９１３ （１９９６）を参照のこと）。
【００６２】
本発明に従い使用されるペプチドは、組み込まれるべき異なるアミノ酸残基の連続カップリングによる液相又は固相でのペプチド合成（液相においてはＮ末端からＣ末端、又は固相においてはＣ末端からＮ末端）による常用の方法で調製されうる（ここで、Ｎ末端及び反応性の側鎖は常用の基によってあらかじめブロッキングされる）。
【００６３】
固相合成の場合、Ｍｅｒｒｉｆｉｅｌｄによって記載された技術が特に使用されうる。あるいは、Ｈｏｕｂｅｎｗｅｙｌによって１９７４年に記載された技術も使用されうる。
【００６４】
更に詳しくは、ＷＯ ９８／３７ １００を参照のことを。
【００６５】
本発明に従う治療方法で使用されるペプチドはまた、遺伝子操作方法を用いて得ることができる。完全な１４６個のアミノ酸であるＳＭＲ１タンパク質をコードするｃＤＮＡの核酸配列は、ＰＣＴ特許出願番号ＷＯ ９０／０３８９１（Ｒｏｕｇｅｏｎ ｅｔ ａｌ．）に記載されている。ＳＭＲ１−ペプチドの生物活性ペプチド誘導体、例えばＸ１ＱＨＸ２Ｘ３Ｘ４の場合、当業者はどの適切なコドンが所望のペプチドを合成するために使用されうるかを決定するために、一般的な文献を参照する。
【００６６】
同一の標的に結合し、そして本発明のアゴニスト又はアンタゴニスト生物活性を有する生物活性誘導体を当業者に選択させ、そして精製させることを可能にする方法を以下に記載する。
【００６７】
ＳＭＲ１−ペプチドの生物活性誘導体は、有機化学の常用の方法によって合成されうるペプチド又は非ペプチド分子、例えば任意な化合物である、タンパク質、ペプチド、ホルモン、抗体又は合成化合物であってもよい。
【００６８】
本発明のＳＭＲ１−ペプチドの生物活性誘導体の選択は、ＱＨＮＰＲペンタペプチドのＮＥＰ結合部位に対する候補リガンド分子の結合を評価し、且つこの候補分子によって誘導されたその標的分子上の代謝変化、例えばプロテインキナーゼ又はアデニルシクラーゼを介する伝達シグナルの結果としての一次又は二次メッセンジャーの代謝物の合成及び／又は放出並びにＧファミリーのタンパク質の活性化又はＮＥＰの酵素活性の変化、具体的には天然のＮＥＰ基質の代謝に対するもの、を決定する際に実施される。
【００６９】
候補分子の結合アッセイは、一般的に４℃〜２５℃又は３７℃で実施される。後述したプロトコールの理解を容易にするために、ＱＨＮＰＲペンタペプチドも、生物活性誘導体の候補分子の代わりに、又はそれらと競合的に使用される。
【００７０】
従って、本発明の別の目的は、ＱＨＮＰＲペンタペプチドのＮＥＰ結合部位に対して特異的に結合するリガンド分子をスクリーニングするための方法であって、
ａ）細胞培養物を調製し、又はＱＨＮＰＲペンタペプチドのＮＥＰ結合部位を含む、器官の標本又は組織試料（凍結切片又はスライス又は膜調製物又は粗製のホモジェネート）を調製し；
ｂ）試験される候補分子を、半飽和濃度の標識ペンタペプチドと競合して添加し；
ｃ）段階ａ）の細胞培養物、器官の標本又は組織試料を、候補分子の存在下で、特異的な結合が起こるのに十分な時間で、且つそれが起こる条件下でインキュベートし；
ｄ）細胞培養物、器官の標本又は組織試料に特異的に結合する標識を、種々の濃度の候補分子の存在下で（好ましくは１０−１０〜１０−５Ｍ）定量する、
段階を含んで成る方法である。
【００７１】
前記方法において、半飽和濃度は、５０％のＮＥＰ結合部位に結合する標識ＱＨＮＰＲペンタペプチドの濃度である。
【００７２】
この方法はまた、ＱＨＮＰＲの親和性と比較した候補分子の相対的な親和性を限定することを可能にする。
【００７３】
本発明の別の目的は、ＱＨＮＰＲペンタペプチドのＮＥＰ結合部位に対して特異的に結合するリガンド分子の相対的親和性を決定する方法であって、各候補分子のために上記方法の段階ａ）， ｂ）， ｃ）及びｄ）を含んで成り、そして更に他の候補分子の１つに対する、段階ｄ）で定量化された各候補分子の親和性を比較する段階ｅ）を含んで成る方法である。
【００７４】
本発明の目的は、ＱＨＮＰＲペンタペプチドのＮＥＰ結合部位に対して特異的に結合するリガンド分子の親和性を決定するための方法であって、
ａ）細胞培養物を調製し、又はＱＨＮＰＲペンタペプチドのＮＥＰ結合部位を含む、器官の標本又は組織試料（凍結切片又はスライス又は膜調製物又は粗製のホモジェネート）を調製し；
ｂ）あらかじめ放射性又は非放射性標識で標識した候補分子を添加し；
ｃ）段階ａ）の細胞培養物、器官の標本又は組織試料を、候補分子の存在下で、特異的な結合が起こるのに十分な時間で、且つそれが起こる条件下でインキュベートし；
ｄ）細胞培養物、器官の標本又は組織試料に特異的に結合する標識を、種々の濃度の候補分子の存在下で（好ましくは１０−１０〜１０−５Ｍ）定量する、
段階を含んで成る方法である。
【００７５】
候補リガンド分子は、放射性標識（３２Ｐ， ３５Ｓ， ３Ｈ， １２５Ｉ等）又は非放射性標識（ビオチン、ジゴキシゲニン、フルオレセイン等）されることがある。
【００７６】
このように、本発明はまた、ＱＨＮＰＲペンタペプチドのＮＥＰ結合部位に対するアゴニストの生物活性を有するリガンド分子をスクリーニングするための方法であって、
ａ）細胞培養物を調製し、又はＱＨＮＰＲペンタペプチドのＮＥＰ結合部位を含む、器官の標本又は組織試料（凍結切片又はスライス又は膜調製物又は粗製のホモジェネート）を調製し；
ｂ）候補分子（好ましくは１０−１０〜１０−５Ｍ）、半飽和濃度のＱＨＮＰＲ及びＮＥＰ基質の存在下で、例１の方法（材料及び方法）によって限定した初速度の条件下でＮＥＰ酵素活性の測定を可能にする濃度で、段階ａ）の細胞培養物、期間の標本又は組織試料を、ＮＥＰ基質の加水分解が初速度条件下で起こるのに十分な時間インキュベートし；
ｃ）段階ａ）の生物材料中に存在するＮＥＰの活性を、ＮＥＰ基質の加水分解レベルを測定することによって、それぞれ候補分子の存在下又は不在下で、そしてＱＨＮＰＲペプチドの存在下又は不在下で定量する、
段階を含んで成る方法に関する。
【００７７】
前記方法において、半飽和濃度は、ＮＥＰ基質の分解を半分に低下させるＱＨＮＰＲペンタペプチドの濃度である。
【００７８】
本発明の別の目的は、ＱＨＮＰＲペンタペプチドのＮＥＰ結合部位に対するアンタゴニストの生物活性を有するリガンド分子をスクリーニングするための方法であって、
ａ）細胞培養物を調製し、又はＱＨＮＰＲペンタペプチドのＮＥＰ結合部位を含む、器官の標本又は組織試料（凍結切片又はスライス又は膜調製物又は粗製のホモジェネート）を調製し；
ｂ）準最大濃度のＸＱＨＮＰＲペプチド、具体的にはＱＨＮＰＲペプチド及びＮＥＰ基質の存在下で、初速度の条件下でＮＥＰ酵素活性の測定を可能にする濃度で、段階ａ）の細胞培養物、器官の標本又は組織試料を、ＮＥＰ基質の加水分解が初速度の条件下で起こるのに十分な時間、候補分子の存在下でインキュベートし；
ｃ）段階ａ）の生物学的材料中に存在するＮＥＰの活性を、候補リガンド分子の存在下又は不在下で、そしてＱＨＮＰＲの存在下又は不在下でＮＥＰ基質の加水分解レベルを測定することによって定量する、
段階を含んで成る方法である。
【００７９】
前記方法の好ましい態様において、準最大濃度は、基質の分解を少なくとも５０％、そして好ましくは少なくとも７５％低下させるペンタペプチドの濃度である。
【００８０】
上述の通り、候補リガンド分子のアゴニスト又はアンタゴニスト活性を評価するための別の代謝アッセイは、ラット、マウス又はヒト起源の一次細胞培養物又は確立細胞系又は組織試料及び内因性又は外因性のＮＥＰ基質の存在下でのリガンド候補のインキュベーション及び、定量的及び定性的のいずれか又はその両方で、ＮＥＰ基質の加水分解を決定すること、を含んで成る。
【００８１】
本発明に従うスクリーニング方法において使用される好ましい組織試料は、ラット由来の膜調製物又は脊髄のスライス、ＮＥＰ活性の測定に適していることが知られている組織、である。
【００８２】
本発明に従うスクリーニング方法において使用されうる他の好ましい組織試料は、ＮＥＰペプチダーゼが豊富で、そして／あるいはＳＭＲ１−ペプチドの標的であることが知られている全ての末梢組織であり、例えば腎の髄質外部、胎盤、精巣、前立腺並びに骨及び歯の組織である。尚、そのような手順は、哺乳類（例えば、マウス）及び特にヒト起源の組織及び／又は細胞、ヒトＮＥＰ ｃＤＮＡをトランスフェクションした細胞系、例えばヒトＮＥＰ ｃＤＮＡで最初にトランスフェクションしたＭＤＣＫ、ＨＥＫ又はＣＯＳ細胞に適用されうる。
【００８３】
ＳＭＲ１−ペプチドの、特に本発明に従う治療用組成物のＸ１ＱＨＸ２Ｘ３Ｘ４の好ましい生物活性誘導体は、内因性の天然又は合成Ｘ１ＱＨＸ２Ｘ３Ｘ４ペプチドよりも優れた薬理動態特性を有し、そしてその結果それらの天然の対応物と比較してより長期のｉｎ ｖｉｖｏでの半減期及び所定の組織／空間、特に神経、腸、胎盤及び性腺組織においてより優れた生物学的利用能を保持する。
【００８４】
上述の生物活性誘導体も本発明の対象である。
【００８５】
このように、本発明はまた、ＳＭＲ１成熟産物及びＳＭＲ１タンパク質又は前述のスクリーニング方法に従い選択されうるその成熟産物の生物活性誘導体に関し、但しそれらは上文の式（１）の構造を有していない。事実、ＳＭＲ１タンパク質自体を構成する１４６個のアミノ酸も除外される（ＰＣＴ特許出願番号ＷＯ ９０／０３９８１）。しかしながら、本発明自体が排除されるこれらの分子の治療的な使用は、本発明の主な目的である。
【００８６】
本発明の別の目的には、メタロペプチダーゼ活性を増大させるか減少させ、又はＳＭＲ１−ペプチドと前記メタロペプチダーゼとの間の正常な相互作用を防ぐ能力を特徴とする、ＳＭＲ１−ペプチドの生物活性誘導体がある。好ましくは、前記メタロペプチダーゼは膜亜鉛メタロペプチダーゼである。更に好ましくは、前記膜亜鉛メタロペプチダーゼはＮＥＰである。
【００８７】
このように特徴づけられたＳＭＲ１−ペプチドの生物活性誘導体はまた、ＳＭＲ１タンパク質の成熟産物を含み、但しそれらは上記式（１）の構造を有しない。
【００８８】
本発明に従う治療用組成物において使用されるＳＭＲ１タンパク質又はその成熟産物及びＳＭＲ１タンパク質又はその成熟産物の生物活性誘導体は、好ましい態様において、Ｘ１ＱＨＸ２Ｘ３Ｘ４と同一の標的、特にＱＨＮＰＲペプチドに結合するそれらの能力に従い最初に選択され、そして次に、例えばｉｎ ｖｉｔｒｏ又はｉｎ ｖｉｖｏでメタロペプチダーゼの基質の加水分解を調整するそれらの能力によって選択されてきた。
【００８９】
「調整する」とは、前記ＳＭＲ１−ペプチドが、メタロペプチダーゼ活性を増大させるか減少させ（阻害し）、又はＳＭＲ１−ペプチドと前記メタロペプチダーゼとの間の正常な相互作用を防ぐ能力を有することと理解される。
【００９０】
本発明はまた、有効量のＳＭＲ１−ペプチドを含んで成る治療用組成物の使用にも取り組む。
【００９１】
本発明に従う方法において、本発明に従うペプチド又はペプチドミメティックも様々な方法のうちのいずれかによって投与されうる。ある好ましい態様において、投与は非経口であることがあり、最も好ましくは静脈内である。他の好ましい態様において、投与は経鼻、経口、舌下、経粘膜、呼吸器内、又は不活性なパッチ若しくはイオントフォレティックパッチを介するものであってもよい。
【００９２】
投与されるべきペプチド又はペプチドミメティックの用量は、特定の患者、症状、及び投与経路に依存し、そして、投与量を増減する養生法に応じて、上文で列記した病理学的障害と関連した減少又は排除によって実験的に決定されうる。好ましい投与量は約０．１μｇ／ｋｇ〜約１ｍｇ／ｋｇであり、更に好ましくは約１μｇ／ｋｇ〜約１００μｇ／ｋｇであり、そして最も好ましくは約１μｇ〜約５μｇ／ｋｇである。
【００９３】
ある好ましい態様において、本発明に従うペプチド又はペプチドミメティックは、第二医薬と一緒に投与され、ここで、第二医薬剤は、処置されるべき障害又は疾患の症候を低下させ、又は排除するのに不十分な量で存在し、そして、本発明の従うペプチド又はペプチドミメティックと第二医薬剤は、処置されるべき障害又は疾患の症候を低下させ、又は排除するために相乗作用で働く。そのような第二医薬剤は、メタロペプチダーゼのモジュレーターとして働くこともあるし、働かないこともある。
【００９４】
「相乗作用で」とは、ペプチド又はペプチドミメティックと第二医薬剤が一緒に、いずれか一方が同濃度である場合よりも障害又は疾患の症候を低下させ、又は排除するのに更に有効であることを意味する。
【００９５】
本発明はまた、
−ＮＥＰ受容体又はＮＥＰ受容体のＳＭＲ１−結合部位
−ＳＭＲ１−ペプチド、
を含んで成る分子複合体に関する。
【００９６】
本発明は、これらの特定の態様を何ら限定することなく、以下の実施例において詳細に例示される。
【００９７】
実施例
実施例１：ｅｘ ｖｉｖｏでの、ＳＭＲ１−ＱＨＮＰＲペプチドとＮＥＰとの相互作用から生じる機能的な結果の探索
Ｍｅｔ−エンケファリン及びサブスタンスＰの細胞外レベルにおける、ＳＭＲ１−ペンタペプチドによる外因性ＮＥＰ感受性ペプチドの保護の結果が、ラット神経組織の膜調製物及び新鮮なスライスを用いて評価された。
【００９８】
１．材料と方法
１．１．動物と組織の調製
性的に成熟した（７〜９週）の雄のウィスターラット（Ｉｆｆａ Ｃｒｅｄｏ）を使用した。実験日まで、ラットを一定の周囲温度（２４℃）及び一定周期の光（オン８時間／オフ２０時間）の条件の下、任意に食餌及び水を与えて飼育した。実験日、当該動物をペントパルビタール（Ｓａｎｏｆｉ， ４５ｍｇ／ｋｇ体重、腹腔内）又はケタミン（Ｉｍａｌｇｅｎｅ ５００， Ｐｈｏｎｅ Ｍｅｒｉｅｕｘ， １５０ｍｇ／ｋｇ 体重、腹腔内）麻酔のもとでの心臓穿刺によって又は二酸化炭素窒息によってと殺された。
【００９９】
・新鮮な組織のスライス
器官を素速く摘出し、氷上で解剖し、神経線維及び脂肪組織を除き、そして、組成が次の１２０ ｍＭ ＮａＣＩ − ５ ｍＭ ＫＣＩ −１．２ ｍＭ ＫＨ２ＰＯ４ − ２７．５ ｍＭ ＮａＨＣＯ３ −２．６ ｍＭ ＣａＣｌ２ −０．６７ ｍＭ ＭｇＳＯ４ −５．９ ｍＭグルコースである、冷たい、酸化したグルコース及び炭酸水素塩を含むクレブスリンガー（ＫＲＢＧ）液中で洗浄される。組織のスライスは外科用メス（１ｍｍの厚さ）によって手で、又は「ティッシュチョッパー」（１ｍｍの厚さ）によって機械的に調製される。スライスを続いて反応チューブ内に分散させ、この中で、それらを氷冷した酸化ＬＲＢＧ中での３回の連続した洗浄にかける。その後、それらを１０μＭのベスタチン（膜アミノペプチダーゼ（ＡＰＮ）阻害剤、Ｒｏｃｈｅ）を追加した同一の緩衝液中に４℃で保持し、そして酵素の供給源として使用する直前まで９５％Ｏ２−５％ＣＯ２の雰囲気のもとで酸化する。
【０１００】
・膜の調製
解剖し、そして氷冷ＫＲＢＧ中で洗浄した組織を、１０倍量（体積／重量）のｐＨ７．２に緩衝化した５０ｍＭ Ｔｒｉｓ／ＨＣｌ中で、テフロン−ガラスホモジェナイザー（３ｘ５秒）を用いて４℃でホモジェナイズする。５分、１０００ｘｇ、そして４℃での最初の遠心により、ペレット中の組織片及び核を除去することが可能である。１００，０００ｘｇ、５℃での上清の２回目の遠心により、膜画分がペレットに濃縮され、これを冷たいＴｒｉｓ／ＨＣｌで表面的に洗浄し、そしてＫｏｎｔｅｓのホモジェナイザーを用いて新しい緩衝液中で再懸濁し、等分して、酵素の供給源として使用するのを待つ間、少なくとも３ヶ月間−８０℃で保存する。
【０１０１】
１．２  タンパク質の決定
組織及び膜タンパク質濃度の決定のために、Ｂｉｏ−Ｒａｄ ＤＣタンパク質アッセイ（Ｂｉｏ−Ｒａｄ）を使用した。ローリーアッセイと同様に、当該Ｂｉｏ−Ｒａｄキットは、試料タンパク質含量とアルカリ性の酒石酸銅溶液及びフォリン試薬との反応に基づいている。吸光度は、試薬の添加から１５分〜２時間後まで、７５０ｎｍで読みとられる。検量曲線は、０．２〜１．４４ｍｇ／ｍｌタンパク質の、ＢＳＡ（ウシ血清アルブミン）の標準溶液の希釈液から作成される。
【０１０２】
１．３．ＮＥＰ酵素活性の測定
１．３．１．ＮＥＰ供給源−基質及び阻害剤
ＮＥＰペプチダーゼ活性の解析実験のために、ＮＥＰペプチダーゼ活性を調査するのに適当であることが知られている神経組織、すなわちラット脊髄の背中側の領域に由来する膜及び新鮮な組織のスライス調製物のインキュベーションを用いるｅｘ ｖｉｖｏモデルが最初に展開された。ＮＥＰ感受性ペプチドの代謝率は、侵害受容性応答のシグナル伝達に関与するＮＥＰ基質：ニューロペプチドＭｅｔ−エンケファリン及びサブスタンスＰをそれぞれ用いて測定した。天然のＭｅｔ−エンケファリン（Ｐｅｎｉｎｓｕｌａ， １０μＭ）及び修飾したトリチウム化サブスタンスＰ：４０ Ｃｉ／ｍｍｏｌの比放射能を有する［（３，４３Ｈ） Ｐｒｏ２−Ｓａｒ９−Ｍｅｔ（Ｏ２）１１］−サブスタンスＰ（ＮＥＭ， １２．５〜２５ｎＭ）を使用した。
【０１０３】
ここでの目的は、これらの基質のＮＥＰ特異的エンドプロテアーゼ分解を測定することであった。この理由から、各試験において、ＮＥＰの特異的合成阻害剤（１０μＭ ホスホラミドン， Ｒｏｃｈｅ及び／又は１−１０μＭチオルファン， Ｓｉｇｍａ）の存在下及び非存在下で、且つ全ての場合においてＡＰＮ阻害剤であるベスタチン（１０μＭ）の存在下で、基質の加水分解が解析された。更に、ＳＭＲ１−ＱＨＮＰＲの機能的役割を研究するために、当該反応はＳＭＲ１−ペプチドを単独又は、Ｃ末端を開裂することによってＱＨＮＰＲペプチドを不活性化しうる膜ペプチダーゼの特異的阻害剤：カルボキシペプチダーゼＢの阻害剤（ＧＥＭＳＡ， １０μＭ， Ｓｉｇｍａ）及びジペプチルペプチダーゼＩＶの阻害剤（ＤＰＰＩＶ阻害剤、１０μＭ， Ｒｏｃｈｅ）と一緒に、それらの存在下で実施された。
【０１０４】
１．３．２．酵素活性アッセイ
・新鮮な組織のスライス
最初の例において、新鮮な組織のスライスは、常に振とうされる水槽において、且つ９５％Ｏ２−５％ＣＯ２の雰囲気のもと、ＮＥＰ阻害剤の存在下又は非存在下で、２５，３０又は３７℃で、１０μＭのベスタチンを含むＫＲＢＧ溶液中でプレインキュベートされる。プレインキュベーション期間（１５分）の終わりに、前記溶液を、基質を単独で又はＮＥＰ阻害剤若しくはＳＭＲ１−ＱＨＮＰＲと組み合わせて含む新しい溶液と交換し、そしてインキュベーションをプレインキュベーションとインキュベーション条件で実施する。インキュベーション期間（５〜３０分）の終わりに、ＨＣｌの終濃度が０．１Ｎとなるように塩酸を含む氷冷したチューブに溶液を移す。試料は、それらの無傷の基質及びその代謝物の含量の測定の間、−３０℃で維持する。
【０１０５】
インキュベーションの温度及び時間並びに基質及び組織酵素の濃度は、ＮＥＰ加水分解活性が初速度の条件下で測定されるような結果に従い定義される。
【０１０６】
・膜調製物
膜調製物は、常に振とうされる水槽において、ＮＥＰ阻害剤の存在下又は非存在下で、２５，３０又は３７℃で、１０μＭのベスタチンを含むＫＲＢＧ溶液中でプレインキュベートされる。プレインキュベーション期間（１０分）の終わりに、基質を単独で又はＮＥＰ阻害剤若しくはＳＭＲ１−ＱＨＮＰＲと組み合わせて添加し、そしてインキュベーションをプレインキュベーションとインキュベーション条件で実施する。インキュベーション期間の終わりに、当該反応は、４℃に冷却し、そしてＨＣｌの終濃度が０．１Ｎとなるように、塩酸に添加することによって停止する。試料は、それらの無傷の基質及びその代謝物の含量の測定の間、−３０℃で維持する。
【０１０７】
インキュベーションの温度及び時間並びに基質及び組織酵素の濃度は、ＮＥＰ加水分解活性が初速度の条件下で測定されるような結果に従い定義される。
【０１０８】
１．３．３．基質及びその代謝物の検出
無傷の基質とその代謝物を分離し、検出し、そして定量するために、様々な技術（基質が放射性標識されているか否かに依存する）が使用され：最初の２つは反応産物の逆相クロマトグラフィー（Ｃ−１８ ＳｅｐＰａｋカートリッジ及びＲＰ−ＨＰＬＣ）を基にしたものであり、そして第三のものはラジオイムノアッセイ（ＲＩＡ）による基質の特異的な検出を基にしたものである。
【０１０９】
・Ｃ−１８ Ｓｅｐ−Ｐａｋカートリッジ
Ｃ−１８ Ｓｅｐ−Ｐａｋカートリッジ（Ｗａｔｅｒｓ）が、放射性標識ペプチドの加水分解を解析するために使用され：それらはそれらの極性の違いに従い化合物を分離する。この固相抽出手順が、基質をその代謝物から分離することを可能にするのは、ペプチド代謝物の疎水性特性が、無傷のペプチド基質と比較して低下し、又は失われさえするためである。
【０１１０】
放射性標識されたサブスタンスＰの３Ｈ代謝物を二段階で、最初にＨ２Ｏ − ０．１％ ＴＦＡで、そして次に２０％メタノール− ０．１％ ＴＦＡで溶出し、同時に無傷の３Ｈ−サブスタンスＰを三番目の段階で、７０〜１００％メタノール−０．１％ ＴＦＡで溶出する。溶出され、そして単離された化合物の放射能を液体シンチレーションスペクトロメトリーによって決定する。
【０１１１】
・ＲＰ−ＨＰＬＣ（逆相高性能クロマトグラフィー）
ＨＰＬＣは、結合分光分析計の解析によって、濃度が少なくとも１〜１０μＭである非放射性のペプチドを単離し、そして検出することを可能にする高度に分解力のある手順である。Ｃ−１８ ＲＰ−ＨＰＬＣは、Ｃ−１８ ＳｅｐＰａｋカートリッジと同じ原理を基にしている。クロマトグラフィー解析は、Ｍｅｔ−エンケファリンの加水分解を研究するために使用され、これは５μｍの直径のビーズを充填したＣ−１８ ＬＵＮＡ解析カラム（１５０Ｘ４．６ｍｍの内径、ＡＩＴ）上で実施された。
【０１１２】
Ｈ２Ｏ−０．１％ ＴＦＡから１００％アセトニトリル−０．１％ ＴＦＡに及ぶ、１ ｍｌ／分の流速の、一段階の３０分の直線勾配で実施されたＲＰ−ＨＰＬＣは、２つのＭｅｔ−エンケファリン代謝物と無傷の基質の分解力のある分離をもたらした。それらの同定及び相対的な定量（ピーク高）が、カラムの流出物の２５４ｎｍでのＵＶ吸光を連続的にモニタリングすることによって調べられる。
【０１１３】
・ＲＩＡアッセイ（放射性イムノアッセイ）
ＲＩＡは、濃度が１〜１００ｎＭ、又はそれ未満である化合物を定量することが可能な、素晴らしい解析方法である。本明細書では、競合的ＲＩＡ系が使用され：抗体に結合した放射性抗原の量が、スタンダードの溶液又は試料中に含まれる抗原の量に反比例するように低下する。遊離した放射性抗原は、免疫沈降によって放射性抗原−抗体複合体から分離される。
【０１１４】
エンケファリナーゼＮＥＰの活性は、最初のＭｅｔ−エンケファリン基質の消失の定量によってモニタリングされる。使用した一次抗体はＭｅｔ−エンケファリンのＣ末端に対するウサギ抗体である（代謝物又は他のペプチドとの交差反応性は１ ％である） （Ｇｒｏｓ ｅｔ ａｌ， Ｊ． Ｎｅｕｒｏｃｈｅｍ． （１９７８）， ３１； ２９−３９．Ｒａｄｉｏ ｉｍｍｕｎｏａｓｓａｙ ｏｆ ｍｅｔｈｉｏｎｉｎｅ ａｎｄ ｌｅｕｃｉｎｅ ｅｎｋｅｐｈａｌｉｎｓ ｉｎ ｒｅｇｉｏｎｓ ｏｆ ｒａｔ ｂｒａｉｎ ａｎｄ ｃｏｍｐａｒｉｓｏｎ ｗｉｔｈ ｅｎｄｏｒｐｈｉｎｓ ｅｓｔｉｍａｔｅｄ ｂｙ ａ ｒａｄｉｏｒｅｃｅｐｔｏｒ ａｓｓａｙ）。二次抗体は、ウサギイムノグロブリンに対するウマ抗体である。放射性標識抗原は、３０００ Ｃｉ／ｍｍｏｌと推定される比放射能を有するヨウ素化Ｍｅｔ−エンケファリン（１２５Ｉ−Ｍｅｔ−Ｅｎｋ エンケファリン）である。
【０１１５】
要約すると、Ｍｅｔ−エンケファリンのＲＩＡは、ｐＨ８．６で緩衝化され、そして０．１％ ＢＳＡ及び０．１％ Ｔｒｉｔｏｎ Ｘ １００を含む１００ｍＭのＴｒｉｓ／ＨＣｌ中で実施される。スタンダード（１〜１００ｎＭ）又は試料（１００μｌ）、希釈抗Ｍｅｔ−エンケファリン抗体（１００μｌ， １／２０００）及び１２５Ｉ−Ｍｅｔ−Ｅｎｋ（１０００ｃｐｍ， １００μｌ）を４℃で一晩インキュベートする。結合画分と遊離画分を、ポリエチレングリコール６０００（６％）の存在下での二次抗ウサギイムノグロブリンを用いる免疫沈降によって分離される。遠心の後、沈澱の結合放射能はガンマ線分光計を用いて定量される。
【０１１６】
２．結果
ＮＥＰの酵素活性に対するＳＭＲ１−ＱＨＮＰＲの阻害的な役割を特定するために、サブスタンスＰ又はＭｅｔ−エンケファリンのペプチドの加水分解を、初速度の測定条件下で実施することを可能にする実験のプロトコールを最初に開発する必要があった。
【０１１７】
２．１．ＮＥＰエンドペプチダーゼ活性の初速度測定の実験条件についての調査
２．１．１．天然のＭｅｔ−エンケファリンの加水分解
最初の一連の実験において、脊髄組織のスライス及び膜調製物を、１ｍｌの最終量のＫＲＢＧ中で、３０℃で、そして０．２５ｍｌの最終量の５０ｍＭ、ｐＨ７．２のＴｒｉｓ／ＨＣｌ中で、３７℃でそれぞれインキュベートされた。
【０１１８】
・ＲＰ−ＨＰＬＣ解析
ＲＰ−ＨＰＬＣクロマトグラフィー系の検量は、マーカーであるＭｅｔ−エンケファリンが１８．８分の保持時間で溶出されることを明らかにしている。当該試料の場合、高さがＮＥＰ特異的阻害剤の存在下でかなり増大するピークが同定され：保持時間が１８．８±０．２分であるこのピークは、無傷のＭｅｔ−エンケファリン基質に相当する。反対に、５．８±０．２分及び１２．８±０．１分の保持時間を有し、それぞれＴｙｒ−Ｇｌｙ−Ｇｌｙ及びＰｈｅ−Ｍｅｔに相当する２つのピークは、ＮＥＰ阻害剤の非存在下で現れる。この結果は、脊髄組織の酵素が、主にペプチドのＧｌｙ３−Ｐｈｅ４で基質を開裂し、これが既にエンケファリナーゼ活性に相当していることを示す。
【０１１９】
膜調製物及び新鮮な組織のスライスのレベルで、外因性のＭｅｔ−エンケファリンの高度にＮＥＰ特異的な加水分解が、３７℃で１０分のインキュベーションの間に観察され：脊髄のエンケファリナーゼ活性がＭｅｔ−エンケファリンのピークの消失を招き、そしてそれは１０μＭのホスホラミドン又は１μＭのチオルファン（８０〜９０％の阻害）の存在下で逆転する。尚、これらの条件下で、両方の特異的ＮＥＰ阻害剤は、１０〜３０分の、３７℃でのインキュベーション時間に及ぶ、ほぼ完全なエンケファリナーゼ活性の阻害を保証する。
【０１２０】
最大の加水分解が、３７℃の温度で１０分以内に間違いなく達成されたので、次の実験においては、インキュベーション温度は引き続き３０℃、そして２５℃に低下させられた。効果的には、３０℃でインキュベートした新鮮な組織のスライスの場合、Ｍｅｔ−エンケファリンの加水分解レベルは時間につれ増大する（０〜３０分）。同様に、３０℃でインキュベートした膜調製物の場合、酵素濃度（０〜２ｍｇ／ｍｌ）に比例した加水分解レベルの増大を言及することもできる。しかしながら、明確な線形の関係は確立され得ない。
【０１２１】
事実、分光光度計解析と連動したＨＰＬＣクロマトグラフィーは半定量的な技術であり、そしてピークの高さ又は面積の単独の測定は、定量的な比例の関係を算出するのに十分に正確ではない。よって、Ｍｅｔ−エンケファリンを正確に定量するために、特異的な定量的ＲＩＡ検出が使用された。
【０１２２】
２．１．２．修飾したトリチウム化サブスタンスＰの加水分解
初速度測定の条件下で、基質であるＭｅｔ−エンケファリン及びサブスタンスＰの加水分解を、ＮＥＰ含有神経組織によって研究することを可能にする実験的なパラメーターが確立されてきた。
【０１２３】
その点においては、ラット脊髄の膜タンパク質濃度（０．０３〜１ｍｇ／ｍｌの終濃度）が、３０℃で１５分のインキュベーション後にサブスタンスＰの加水分解レベル（２５ｎＭ）に対して与える影響を最初に試験された。図１−Ａに例示するように、最初の基質濃度のパーセントで表した、３Ｈ−サブスタンスＰの分解レベルは、膜タンパク質濃度に対する線形関数において２〜２５％に比例して増大する。ｒ＝０．９８， ｎ＝７の密接な相関関係は、１０μＭのホスホラミドンの不在下でみられ、ｒ＝０．９９， ｎ＝７の密接な相関関係は、１０μＭのホスホラミドンの存在下でみられた。更に、同一の実験条件において、ホスホラミドンの添加は、サブスタンスＰの分解のはっきりとした減少をもたらす（外因性ペプチドの５０〜６５％の保護）。
【０１２４】
同様に、２５℃でのインキュベーション時間（５〜２０分）の関数としてのサブスタンスＰの加水分解レベル（１２．５ｎＭ）も研究された。選択した膜タンパク質濃度は１ｍｇ／ｍｌであった。脊髄膜によるサブスタンスＰの異化は、インキュベーション時間につれ、ｒ＝０．９７， ｎ＝１８の密接な関係（図１−Ｂ）で線形に増大する。更にサブスタンスＰを開裂するアンギオテンシン変換酵素（ＡＣＥ）の潜在的阻害剤であるカプトプリル（１０μＭ）は、酵素膜調製物の活性に対する効果、及びＣＰＢ及びＤＰＰＩＶ酵素の潜在的阻害剤（Ｃ末端のＳＭＲ１−ＱＨＮＰＲの潜在的異化の保護化合物）についての効果を有さない。
【０１２５】
その結果、ＮＥＰを含有する脊髄組織によるサブスタンスＰの加水分解の初速度測定条件が確立しているように思われる。しかしながら、ＮＥＰ阻害剤（ホスホラミドン及びチオルファン）のいずれの活性も、インキュベーション期間の関数として比例的に安定でないようである。従って、ＮＥＰ活性に対するＳＭＲ１−ＱＨＮＰＲペプチドの効果は、インキュベーション時間と関連して体系的に研究される。
【０１２６】
２．１．３．記録
初速度測定のもとで、ｅｘ ｖｉｖｏでの脊髄組織によるＭｅｔ−エンケファリン及びサブスタンスＰの異化を研究することを可能にする実験条件を以下の表で報告する。
【表１】
2004530640.tif 000003
【０１２７】
２．２．ＳＭＲ１−ＱＨＮＰＲとＮＥＰとの相互作用から生じる関数的な結論の研究
２．２．１ＮＥＰ脊髄によるＭｅｔ−エンケファリンの分解
２．１．３．の項目において定義した実験条件下での、脊髄スライスによるＭｅｔ−エンケファリナーゼ活性に対する一定濃度のＭＲ１−ＱＨＮＰＲ（１０μＭ）の効果が最初に試験された。
【０１２８】
・ＲＰ−ＨＰＬＣ解析
図２−Ｂに例示したとおり、ＨＰＬＣ解析は、２５℃での２５分のインキュベーションで、脊髄スライスによるＭｅｔ−エンケファリン基質の強力なＮＥＰ特異的加水分解を示す。１０μＭの濃度のホスホラミドンはＭｅｔ−エンケファリナーゼ活性の完全な阻害を保証し、そしてチオルファン（１０μＭ）の添加は、８０％のＭｅｔ−エンケファリン分解により明確な低下をもたらす。
【０１２９】
同一の実験において、１０μＭの濃度のＱＨＮＰＲペプチド単独又はＣＰＢ及びＤＤＰＩＶプロテアーゼの阻害剤と組み合わせたものは、７０ないし８０％の阻害活性を有し；それによりＳＭＲ１−ペンタペプチドは、ＮＥＰ結合部位についてエンケファリン−ペンタペプチドと等濃度で競合することができる。脊髄膜調製物によるサブスタンスＰ分解の場合のように、ＣＰＢ及びＤＤＰＩＶ単独の阻害剤は、新鮮な脊髄のスライスによるＭｅｔ−エンケファリンに対する任意な固有の阻害活性を有しない。更に、それらはおそらく、新鮮な脊髄組織のスライスに潜在的に存在するペプチダーゼ活性から、ＳＭＲ１−ＱＨＮＰＲ自身を、特にそのＣ末端で保護する必要がない。
【０１３０】
ＮＥＰの活性及び阻害を厳密に定量するために、同じ実験が特異的なＭｅｔ−エンケファリン ＲＩＡにより解析された。
【０１３１】
・ＲＩＡアッセイ
全体として、逆相ＨＰＬＣ技術によって得られた大まかな結果は、ＲＩＡアッセイから導いたものによって確認される（図２−Ａ）。２５℃で２０分のインキュベーション期間内に、ホスホラミドン、チオルファン、及びＳＭＲ１−ＱＨＮＰＲは、ＮＥＰ分解活性からＭｅｔ−エンケファリンを保護するための非常に潜在的な化合物として現れる。このように、１０μＭの濃度で、それらは、新鮮な脊髄組織による１０μＭのＭｅｔ−エンケファリンの分解をほぼ完全に防ぎ、それぞれ９６％、１００％及び９６％であった。
【０１３２】
結論として、これら全ての結果が、ｅｘ ｖｉｖｏでのラット神経組織のＭｅｔ−エンケファリナーゼ活性に対するＳＭＲ１−ＱＨＮＰＲによって発揮されるネガティブな制御的役割を示す。
【０１３３】
２．２．２．ＮＥＰ脊髄によるサブスタンスＰの分解
・サブスタンスＰの異化に対するＮＥＰ活性の阻害剤であるＳＭＲ１−ＱＨＮＰＲ
最初の例において、サブスタンスＰの加水分解に対するＱＨＮＰＲペプチドの作用は、既にＭｅｔ−エンケファリンに関して行われたように探索された。その理由から、背傷のスライスが使用され、そして動的な、３０分に及ぶインキュベーション期間が２．１．３．で定義した初速度の測定条件下で実施された。
【０１３４】
図３−Ａに例示したように、サブスタンスＰの加水分解反応は、初速度の条件下で効果的に起こり：ｒ＝０．９９の密接な関係がサブスタンスＰの加水分解のパーセンテージと２５℃でのインキュベーション時間との間に見られた。１０μＭのホスホラミドン又は１０μＭのチオルファンは、比較的同じ阻害活性を示す（６０〜６５％の阻害）。ＱＨＮＰＲペプチド（１０μＭ）は、それが単独である場合に、サブスタンスＰの分解を７５％阻害し、それがＧＥＭＢＡ（１０μＭ）及びＤＰＰＩＶ阻害剤（１０μＭ）と組み合わされた場合に９０％超阻害し、有効な阻害剤であることが明らかとなった。しかしながら、これらの後者のものは、新鮮な脊髄組織によるサブスタンスＰの分解の固有の阻害活性を示すようである。
【０１３５】
他にも、この実験において、阻害剤の効果は３０分のインキュベーション期間に及ぶインキュベーションの間の関数として比例的に安定である（ｒ＝０．９９）。
【０１３６】
・ＩＣ５０の決定
図３−Ｂの右側に示した、脊髄膜調製物による３Ｈ−サブスタンスＰの分解に対するＳＭＲ１−ＱＨＮＰＲの阻害効果の用量応答曲線は、約１．１０−７ＭのＩＣ５０値（３Ｈ−サブスタンスＰの分解を半分に低下させる阻害剤の濃度）の計算を可能にする。同じ実験において、ホスホラミドンとの比較は、ＳＭＲ１−ＱＨＮＰＲによる外因性サブスタンスＰの保護が、ホスホラミドンで得られたｔ０と同様であることを明らかにする（図３−Ｂの左側）。更に、ＣＰＢ及びＤＰＰＩＶの阻害剤と組み合わせたＱＨＮＰＲペプチドが、ホスホラミドンのものよりも大きな、最高の阻害活性を示す（図３−Ｂの左側）。
【０１３７】
２．２．３．記録
ＮＥＰ感受性ペプチドの代謝速度は、クロマトグラフィー解析に連動した、トリチウム化した基質を用いて（サブスタンスＰ）、又は特異的ＲＩＡ定量と連動した、天然の基質を用いて（Ｍｅｔ−エンケファリン）測定された。ＮＥＰの酵素活性の初速度測定条件下で、ＳＭＲ１−ペプチドの添加によって生じる外因性Ｍｅｔ−エンケファリン又はサブスタンスＰのほぼ完全な阻害が観察され；脊髄組織によるサブスタンスＰの分解を半分に減らすＳＭＲ１−ＱＨＮＰＲの濃度は１．１０−７Ｍと算出され、そしてその阻害能は、２つの周知のＮＥＰ特異的阻害剤であるチオルファン及びホスホラミドンのものに等しい。これらの結果から、ｅｘ ｖｉｖｏでは、ＳＭＲ１−ペンタペプチドは、脊髄の疼痛知覚の制御に関与する両方のニューロペプチド、例えばサブスタンスＰ及びＭｅｔ−エンケファリンの脊髄ＮＥＰ誘導型の分解を効果的に防ぐと思われる。
【０１３８】
例２：末梢組織によるサブスタンスＰ代謝の阻害剤であるＳＭＲ１−ＱＨＮＰＲ（シアロルフィン）
最初の結果は、ラットの神経組織のエンケファリナーゼ活性に対する、シアロルフィンによって発揮される制御的役割を示した。同一のアプローチが、ＮＥＰ−ペプチダーゼに富み、そして／あるいはｉｎ ｖｉｖｏでのシアロルフィンの標的であることが知られている末梢組織の膜調製物、すなわち腎の髄質外部、腸の粘膜、胎盤、前立腺、歯及び骨の組織、並びに顎下上皮に適用され（Ｒｏｕｇｅｏｔ， Ｃ． ｅｔ ａｌ， Ａｍｅｒｉｃａｎ Ｊｏｕｒｎａｌ ｏｆ Ｐｈｙｓｉｏｌｏｇｙ， （１９９７） ２７３， Ｒ１３０９−２０； Ｓａｌｅｓ ｅｔ ａｌ．， （１９９１） Ｒｅｇｕｌａｒｔｏｒｙ Ｐｅｐｔｉｄｅｓ ３３， ２０９−２２）、そしてこれらはＫｅｎｎｙ等によって概説された。ほぼ全てのこれらの組織が、特定の組織の機能を調節するためのニューロキニン受容体を含む標的細胞上の放出部位付近で働く、末梢の副交感神経末端及び交感神経末端から放出されるサブスタンスＰを含むという証拠が存在する（ＭｃＣａｒｓｏｎ ｅｔ ａｌ．， （１９９９）， Ｎｅｕｒｏｓｃｉｅｎｃｅ ９３， ３６１−７０）。このように、ニューロペプチドは、末梢における生物学的に関連のあるＮＥＰの基質とみなすことができるようである。しかしながら、サブスタンスＰは、ＮＥＰ及びＡＣＥ膜結合ペプチダーゼによって潜在的に開裂され、そしてこの両酵素は腎の上皮に高度に分布している（Ｓｋｉｄｇｅｌ ｅｔ ａｌ．， （１９８５）， Ｐｒｏｇｒｅｓｓ ｉｎ Ｃｌｉｎｉｃａｌ ＆ Ｂｉｏｌｏｇｉｃａｌ Ｒｅｓｅａｒｃｈ １９２， ３７１−８）。
【０１３９】
当該ペプチダーゼアッセイの特異性は、種々の組織−膜酵素による３ＨサブスタンスＰの内部タンパク質分解に対する、選択的ペプチダーゼ阻害剤（最大の阻害応答を誘導するために１〜１０μＭの濃度で）の阻害効果を試験することによって、そして上文の通り脊髄組織を用いて定義された反応のＮＥＰ関連トリチウム化産物の選択的形成を解析することによって評価された。尚、初速度測定の標準的な条件のもと、ベスタチン（１０μＭ）が、膜アミノペプチダーゼ活性を非選択的に防ぐために、インキュベーション液に添加された。
【０１４０】
図４−Ａに示され、そしてこれまでのデータと一致しているように、雄のラットの腎臓には、１９７ｐＭ／分／μｇの最高レベルのサブスタンスＰ加水分解特異的活性が含まれ；このうち、６１±１０％， ｎ＝４はＮＥＰ活性に起因し、そして３８±１２％はＡＣＥ活性の結果であった。シアロルフィンは、ホスホラミドンＮＥＰ阻害剤と同等の効果、すなわち６０±５％の最大阻害応答（ｎ＝９）で腎の活性を阻害した。阻害効果が、基質としてサブスタンスＰ（Ｖｉ＝１４０ｐＭ／分／μｇ）を用いることによって、精製したウサギの腎ＮＥＰに対して試験された場合、可溶性酵素によるサブスタンスＰの異化が既にシアロルフィンによって阻害されたことが明らかとなった（５μＭの場合に４６％）。
【０１４１】
更に、図４−Ｂに示した、ラット腎臓による３Ｈ−サブスタンスＰ分解に対するシアロルフィンの阻害効果は、厳密には用量依存性のものであり（ｒ＝０．９７０， ｎ＝２０）、［０．５〜１］マイクロモーラーの範囲内のＩＣ５０値で阻害能を評価することが可能であった。この阻害能は、精製したウサギ腎ＮＥＰ及び合成特異的蛍光発生的な基質を、すなわち０．６μＭ又はラット脊髄ＮＥＰを、すなわち０．４μＭ用いて得られたものと極めて関連している。
【０１４２】
これら全ての結果は、ｉｎ ｖｉｖｏでの組織による取りこみの後の、既に証明された腎のＮＥＰ／シアロルフィンの分子相互作用が、生理作用、例えばこの組織内に存在する制御ペプチド、例えばサブスタンスＰ、体液性の血管拡張性−炎症誘発性のメディエーター及び自律神経の神経伝達物質の、ＮＥＰ誘導型代謝の保護を導きうることを示した。最高のＮＥＰ活性を含む腎臓は、ＡＮＰ代謝の主要部位でもあるようである（Ｗｅｂｂ ｅｔ ａｌ．， （１９８９）， Ｊｏｕｒｎａｌ ｏｆ Ｃａｒｄｉｏｖａｓｃｕｌａｒ Ｐｈａｒｍａｃｏｌｏｇｙ １４， ２８５−９３）。このように、腎の一部に存在するシアロルフィンは、作用が明確にＮＥＰによって制御されているこのペプチドメッセンジャーの生理学的作用を増強する役割も果たすことがあり（Ｋｅｎｎｙ ｅｔ ａｌ． （１９８８） ＦＥＢＳ Ｌｅｔｔｅｒｓ ２３２， １−８）；ＡＮＰは血圧、体液循環及び無機物の恒常性の生理学的な制御を媒介する血管拡張性で、且つナトリウム利尿性の因子であると仮定することができる。
【０１４３】
ＮＥＰが最も豊富にある、それ以外の２つの組織であるラットの胎盤及び前立腺組織において、サブスタンスＰのエンドプロテアーゼ分解活性レベルは腎臓よりも１２〜１４倍低く、そして７４±１０％， ｎ＝５がＮＥＰによるものであることが示され、一方でわずかに８％がＡＣＥの結果であった。更に、シアロルフィンは、これらの組織からのサブスタンスＰの分解を７０±３％にまで低下させた。前立腺組織は、全身的に投与される親水性化合物、例えばシアロルフィン ３Ｈ−ペプチドによって接近可能でないようであるが、この組織は既にこれを合成することができ、このことから、シアロルフィンが、例えばサブスタンスＰの、内因性のペプチド性のシグナル不活性化阻害剤として、潜在的な重要な局所的役割を果たしていることを示唆している（Ｒｏｕｇｅｏｔ ｅｔ ａｌ．， （１９９４）， Ｅｕｒｏｐｅａｎ Ｊｏｕｒｎａｌ ｏｆ Ｂｉｏｃｈｅｍｉｓｔｒｙ ２１９， ７６５−７３； Ｒｏｕｇｅｏｔ， Ｃ． ｅｔ ａｌ． （１９９７）， Ａｍｅｒｉｃａｎ Ｊｏｕｒｎａｌ ｏｆ Ｐｈｙｓｉｏｌｏｇｙ ２７３， Ｒ１３０９−２０）。
【０１４４】
最も特筆すべき結果は、シアロルフィンの主要な標的の１つであるラットの内側の歯の組織が高レベルのサブスタンスＰ−エンドプロテアーゼ分解活性、すなわち４４ｐＭ／分／μｇ膜タンパク質、を示した観察に由来する（Ｒｏｕｇｅｏｔ， Ｃ． ｅｔ ａｌ． （１９９７）， Ａｍｅｒｉｃａｎ Ｊｏｕｒｎａｌ ｏｆ Ｐｈｙｓｉｏｌｏｇｙ ２７３， Ｒ１３０９−２０）。ＮＥＰ阻害剤の添加は、３Ｈ−サブスタンスＰの分解反応を５３±４％まで低下させ、一方、ＡＣＥ阻害剤はそれを２１％に、そしてシアロルフィンは３９±４％， ｎ＝４に低下させた。この結果に沿って、内側の骨の組織によるエンドペプチダーゼ感受性のサブスタンスＰ分解に対する、７５±１０％へのシアロルフィンの阻害作用がここで証明される。これらの組織内でのＮＥＰ機能におけるシアロルフィンの考えられる関与は、ラットの末梢組織における酵素の局在及び活性は、シアロルフィンの組織分布及び隔離部位の密度と非常に一致しており；そして、これらの組織には、骨格及び歯槽骨並びに骨膜表面が含まれるという観察によって支持される（Ｒｏｕｇｅｏｔ， Ｃ． ｅｔ ａｌ． （１９９７）， Ａｍｅｒｉｃａｎ Ｊｏｕｒｎａｌ ｏｆ Ｐｈｙｓｉｏｌｏｇｙ ２７３， Ｒ１３０９−２０； Ｓａｌｅｓ ｅｔ ａｌ．， （１９９１）， Ｒｅｇｕｌａｔｏｒｙ Ｐｅｐｔｉｄｅｓ ３３， ２０９−２２； Ｌｌｏｒｅｎｓ ｅｔ ａｌ．， （１９８１）， Ｅｕｒｏｐｅａｎ Ｊｏｕｒｎａｌ ｏｆ Ｐｈａｒｍａｃｏｌｏｇｙ ６９， １１３−６）。更に、内側の骨及び歯の膜に由来する、主要なシアロルフィン関連分子がｐＩ５．２±０．４， （ｎ＝５）及び５．７±０．６， （ｎ＝３）をそれぞれ示し、その結果、ＮＥＰのｐＩ（５．５）とよく対応している。しかしながら、骨格及び歯の鉱化及び／又は吸収過程の制御に関与している生理学的なＮＥＰ感受性エフェクターペプチドはまだ同定されていない。
【０１４５】
同様の状況は、ＮＥＰ阻害剤又はシアロルフィンによって標識されることが既に証明されている他の構造、例えばラットＳＭＧで起こる（Ｒｏｕｇｅｏｔ， Ｃ． ｅｔ ａｌ． （１９９７）， Ａｍｅｒｉｃａｎ Ｊｏｕｒｎａｌ ｏｆ Ｐｈｙｓｉｏｌｏｇｙ ２７３， Ｒ１３０９−２０； Ｓａｌｅｓ ｅｔ ａｌ．， （１９９１）， Ｒｅｇｕｌａｔｏｒｙ Ｐｅｐｔｉｄｅｓ ３３， ２０９−２２）。事実、サブスタンスＰの加水分解特異的活性のＳＭＧレベルは、４．２ｐＭ／分／μｇ膜タンパク質であることが明らかとなり、そして５５±１２％， ｎ＝４がＮＥＰ活性に起因し、そして２０％がＡＣＥ活性に起因し、一方で、シアロルフィンの添加は７９％の阻害をもたらした。この腺はシアロルフィン合成の主要部位であり、この場所は、結果として、ラットにおける極度に潜在性のあるシアロログ（ｓｉａｌｏｌｏｇ）化合物であるサブスタンスＰの活性の調整を介して局所タンパク質の制御及び／又は体液分泌に関与しうる（Ｙｕ ｅｔ ａｌ．， （１９８３）， Ｅｘｐｅｒｉｍｅｎｔａｌ Ｂｉｏｌｏｇｙ ＆ Ｍｅｄｉｃｉｎｅ １７３， ４６７−７０）。
【０１４６】
更に、他の豊富に提供されている領域は腸、特に腸壁であり、これはＮＥＰを発現し、サブスタンスＰの外因性知覚神経及び腸内のニューロン並びにシアロルフィン取り込み部位を含んでいる（Ｒｏｕｇｅｏｔ， Ｃ． ｅｔ ａｌ． （１９９７）， Ａｍｅｒｉｃａｎ Ｊｏｕｒｎａｌ ｏｆ Ｐｈｙｓｉｏｌｏｇｙ ２７３， Ｒ１３０９−２０； Ｈｏｌｚｅｒ ｅｔ ａｌ．， （１９９７）， Ｐｈａｒｍａｃｏｌｏｇｙ ＆ Ｔｈｅｒａｐｅｕｔｉｃｓ ７３， ２１９−６３）。ラットの腸の膜画分によるサブスタンスＰのエンドプロテアーゼ分解は、９３．５ｐＭ／分／μｇ膜タンパク質であることが明らかとなった。当該阻害プロファイルは、ＮＥＰ阻害剤の存在下で、５１％の外因性３ＨサブスタンスＰが分解反応から救われ、一方、シアロルフィンの添加が８７±１７％， ｎ＝３の保護という強力な阻害反応を誘導したことを示した。
【０１４７】
総合すれば、これらの結果は、ｉｎ ｖｉｔｒｏにおいてシアロルフィンが、ＮＥＰ及びシアロルフィンの合成及び／又は吸収部位でもある多くの組織において局所的に利用可能である、ニューロペプチド又は体液性のメディエーターであるサブスタンスＰのエンドペプチダーゼ誘導型の分解を効率的に防ぐことを強力に示唆する。このことは、循環しているシアロルフィンが、ｉｎ ｖｉｖｏで、サブスタンスＰの、末梢の血管拡張及び炎症誘導性の作用の制御に寄与することを示唆する。更に、循環しているＡＮＰの多数の末梢性の効果がＮＥＰの制御下にあるので、シアロルフィンが更に、特に腎、腸、骨及び顎下腺の部位で、その血管弛緩、利尿及びナトリウム利尿作用を調整すると仮定することができる（Ｋｅｎｎｙ ｅｔ ａｌ．， （１９８８）， ＦＥＢＳ Ｌｅｔｔｅｒｓ ２３２， １−８； Ｖａｒｇａｓ ｅｔ ａｌ．， （１９８９）， Ｅｎｄｏｃｒｉｎｏｌｏｇｙ １２５， ２５２７−３１ ； Ｇｏｎｚａｌｅｓ ｅｔ ａｌ．， （２０００）， Ｐｅｐｔｉｄｅｓ ２１， ８７５−８７）。
【０１４８】
例３：シアロルフィンは競合的阻害剤の動的挙動特性を有する
阻害剤の様式を決定するために、腎の酵素反応の初速度の全測定値を、複数の一定の阻害剤濃度の場合には基質濃度に対し、又は一定の基質濃度の場合には阻害剤濃度に対しプロットした。
【０１４９】
腎の膜による［３Ｈ］サブスタンスＰ分解に対するシアロルフィンによる阻害の変形されてないプロット（図５−Ａ）及び二重逆数プロット（図５−Ｂ）並びにディクソンプロット（図５−Ｃ）解析の曲線のパターンは、競合的阻害の特徴的なサインである。競合的阻害剤は、酵素の活性部位での結合を介して機能し、それ故に、活性な遊離酵素の基質と直接的に競合する。従って、シアロルフィンとサブスタンスＰとの間の競合は、基質にとっての当該酵素のみかけのＫｍを２〜５倍に上昇させる動的な効果を有する。
【０１５０】
他にも、シアロルフィンペプチドの組織による取りこみが、陽イオンの無機質の元素を含む複合的な分子種に関与するのは、当該ペプチドが強力な二価の金属イオンキレート化剤の存在下でのみ回収されるためである（Ｒｏｕｇｅｏｔ， Ｃ． ｅｔ ａｌ． （１９９７）， Ａｍｅｒｉｃａｎ Ｊｏｕｒｎａｌ ｏｆ Ｐｈｙｓｉｏｌｏｇｙ ２７３， Ｒ１３０９−２０）。更に、キレート化ＦＰＬＣ解析は、シアロルフィンが選択的で且つ強力な亜鉛キレート化基を有しており、これら恐らくそのヒスチジン残基が関与していることを示した。ＮＥＰ触媒部位の必須成分である亜鉛イオンは、どこかしらで説明されている合成の潜在的なＮＥＰ阻害剤の共通の標的である。事実、それらは、メタロペプチダーゼの活性部位に適合する、亜鉛の配位部分として、リン酸基（ホスホラミドン）又はチオール基（チオルファン）又はヒドロキサム酸基（ケラトルファン（ｋｅｌａｔｏｒｐｈａｎ））を用いて設計された（Ｒｏｑｕｅｓ ｅｔ ａｌ．， （１９９３）， Ｐｈａｒｍａｃｏｌｏｇｉｃａｌ Ｒｅｖｉｅｗｓ ４５， ８７−１４６にて概説）。
【０１５１】
ペプチドと膜受容体部位とのｉｎ ｖｉｖｏでの相互作用が多価の無機イオンを包含しているという事実に加え、シアロルフィンの動的な挙動を考慮することで、シアロルフィンが、反応の遷移状態との複数の構造的連携状態を共有し、その結果、例えば亜鉛配位リガンドとしての、酵素の活性部位内の基との相互作用を最適化することが可能になることが予想されうる。
【０１５２】
シアロルフィンと複合した場合のＮＥＰの結晶構造の決定は、この天然の競合阻害剤の独特な結合状態についての洞察力を得ることを可能にする。
【０１５３】
例４：天然の鎮痛剤の新規クラスとしてのシアロルフィン
ＮＥＰは、末梢組織（皮膚、筋肉、内臓の領域）から多数の中枢及び末梢神経系の神経回路への、異なるモダリティーの知覚情報を運ぶのに関与するニューロペプチドのシグナルの生物活性の制御における中心的な役割を果たす。これらのメディエーターの中でも傑出しているのは、サブスタンスＰ、交感神経伝達物質及びエンケファリン、鎮痛性のニューロモジュレーターである（Ｄｉｃｋｅｎｓｏｎ， （１９９５）， Ｂｒｉｔｉｓｈ Ｊｏｕｒｎａｌ ｏｆ Ａｎａｅｓｔｈｅｓｉａ ７５， １９３−２００）。後文において、シアロルフィンが、ｉｎ ｖｉｔｒｏでの、ラットの脊髄組織によるそれらの細胞外分解を潜在的に防ぐことが証明される。
【０１５４】
侵害受容性の情報の調節におけるエンケファリンの重要性は、侵害受容性の閾値の重大な低下を示した、プレプロエンケファリン遺伝子欠損マウスにおいて証明されており（Ｋｏｎｉｇ， Ｍ． ｅｔ ａｌ． （１９９６） Ｎａｔｕｒｅ ３８３， ５３５−８）。反対に、膜結合型の亜鉛メタロプロテアーゼの阻害剤を用いることで、エンケファリンの迅速な不活性化に関与するＮＥＰ及びＡＰＮが潜在的な鎮痛性の応答をもたらした（Ｃｈｅｎ ｅｔ ａｌ．， （１９９８） Ｐｒｏｃｅｅｄｉｎｇｓ ｏｆ ｔｈｅ Ｎａｔｉｏｎａｌ Ａｃａｄｅｍｙ ｏｆ Ｓｃｉｅｎｃｅｓ ｏｆ ｔｈｅ Ｕｎｉｔｅｄ Ｓｔａｔｅｓ ｏｆ Ａｍｅｒｉｃａ ９５， １２０２８−３３）。
【０１５５】
エンケファリン分解酵素の阻害を介するシアロルフィンのｉｎ ｖｉｖｏでの可能性のある抗侵害受容性特性に対して洞察を広げるために、その効果は、痛みのラットモデル、すなわち、疼痛反応の種々の行動上のパラメーターが３分のカットオフ時間内に記録されたピンペインテスト（ｐｉｎ ｐａｉｎ ｔｅｓｔ）（Ｈｅｂｅｒｔ ｅｔ ａｌ． （１９９９） Ｐｈｙｓｉｏｌｏｇｙ ＆ Ｂｅｈａｖｉｏｒ ６７， ９９−１０５）において評価された。
【０１５６】
シアロルフィンのｉｎ ｖｉｖｏでの活性は、雄のラット（３５０〜４００ｇ， Ｃｈａｒｌｅｓ Ｒｉｖｅｒｓ）を用いてピンペインテストで試験された。実験装置はオープンフィールド（４５ｘ４５ｘ４０ｃｍ）内にあり、これは９つの正方形（１５０ｘ１５０ｍｍ）に分けられ、それらのうち８つが端にあり、そして１つが中心にある。端の四角はステンレス鋼のピン（２／ｃｍ２， 長さ８ｍｍ及び直径０．６ｍｍ）が敷かれている。当該試験は、ラットをオープンフィールドの中心の四角の中に据え、そしてその異なる行動を記録することにある（カットオフ時間、３分）。疼痛試験の２日前に、ラットは、空間的な新奇恐怖症に関連したストレスを減らすために、２０分間ピン無しの当該実験装置に慣れさせられた。全ての統計的解析は、Ｓｔａｔｖｉｅｗ ５ ｓｔａｔｉｓｔｉｃａｌ ｐａｃｋａｇｅを用いて実施された。
【０１５７】
図６−Ａに示すように、静脈内に投与されたシアロルフィン処置ラットは、担体のコントロールと比較してほとんど声を発することなく、そして端のピン領域において運動及び探索行動を示した。例えば、体重１ｋｇ当たり１００μｇのシアロルフィンは、それが３分の試験の間に、ＡＮＯＶＡ及び対応のないｔ検定により、端の四角を通過し（１１．１３±１．４３， ｎ＝８対コントロール２．８８±０．４４， ｎ＝８， ｐ＝０．００１）、そして端の四角の上に立つ回数（３．８８±０．８３対０．７５±０．４１， ｐ ０．００５）の有意な増大を招いたように、著しい鎮痛応答をもたらした。同時に、それは、痛みのある刺激に対して聞き取り可能な発声（０．２５±０．１６対７．２５±３．１３ ｐ ０．０５）及び逃避（０．１３±０．１３対６．８８±２．４７， ｐ≦０．０５）応答回数の有意な低下を招いた。
【０１５８】
故に、シアロルフィンで処置したラットは、強力なモルヒネ様のレベルの無痛覚症を示し、すなわちラットにおけるピンペインテストにおいて、静脈内に１００μｇ／ｋｇを与えることで７４〜９７％の無痛覚症を示した。
【０１５９】
更に、第二試験の試行において、図６−Ｂに示した、有害な応答のこれらの行動上のパラメーターに対するシアロルフィン効果は、体重１ｋｇ当たり０．３ｍｇの、μオピオイド受容体アンタゴニストであるナロキソンをあらかじめ投与することによって、４２〜６３％に反転した（発声のパラメーターは２０％、ナロキソンで反転可能であった）。尚、図６−Ｃに示すとおり、シアロルフィンで処置したラットは、コントロールと比べて、ピンが敷かれていないオープンフィールドの中央の領域において有意により少ない時間を過ごし（５７．７５±２１．３０秒対１５５．１３±１４．２１秒， ｐ＝０．００１９）、そしてこの行動は５６％、ナロキソンで反転可能であった（１１２．３８±１７．４４秒）。このことは、μオピエート受容体が、完全な薬理学的なシアロルフィン誘導型鎮痛作用に必要であり、その結果、シアロルフィン誘導型無痛覚症の内因性のオピオイド性媒介を支持していることを証明する。Ｍｕ−受容体依存性のオピオイド性経路は、侵害受容性の入力の脊髄及び脊髄上位の制御において必須の役割を有する（Ｂｅｓｓｅ ｅｔ ａｌ．， （１９９０） Ｂｒａｉｎ Ｒｅｓｅａｒｃｈ ５２１， １５−２２ ； Ｍａｔｔｈｅｓ ｅｔ ａｌ．， （１９９６）， Ｎａｔｕｒｅ ３８３， ８１９−２３ ； Ｓｏｒａ， Ｉ． ｅｔ ａｌ．， （１９９７） Ｐｒｏｃｅｅｄｉｎｇｓ ｏｆ ｔｈｅ Ｎａｔｉｏｎａｌ Ａｃａｄｅｍｙ ｏｆ Ｓｃｉｅｎｃｅｓ ｏｆ ｔｈｅ Ｕｎｉｔｅｄ Ｓｔａｔｅｓ ｏｆ Ａｍｅｒｉｃａ ９４， １５４４−９）。このように、シアロルフィンは、脊髄及び脳の抗侵害受容性をもたらす、内因性のμオピオイド依存性経路の増強を介してその鎮痛作用の一部を生み出しうる。
【０１６０】
例５：嫌悪光刺激の回避試験におけるＱＨＮＰＲペプチドの活性の研究
１−材料と方法
１．１−動物
３００〜３２０ｇの重量の、２４匹の雄のＳＰＦウィスター／ＡＦラットを使用した。レセプション時に、当該ラットを計量し、印をつけ、そしてＦ型ポリカーボネートケージ内で３つの群にわけた。動物を空調管理された、２２〜２４℃の飼育小屋で飼育した。食べ物と飲み物はラットが自由に手に入れることができた。彼らは、１２時間の明暗サイクルにかけられた（午後８時から午前８時まで明るい）。
【０１６１】
研究所の条件に慣れるための１週間の期間の後、２４匹のラットは無作為に２つの群に分けられた（ｎ＝１２）。種々の群に由来するラットは、全て同じ方法で、且つ同じ条件で扱われた。
【０１６２】
１．２−材料
嫌悪光刺激回避の条件付けのための装置（ＡＬＳＡＴ）
当該実験装置は、明るく照射され、そして２つのレバーを含んで成る、隔離されたケージ（５０ｘ４０ｘ３７ｃｍ）から成る：一方のレバーは、それが作動した場合、３０秒の暗がりを得て、そのご明るさを戻すことができる能動的なものであり、他方のレバーは能動的でない（積極的に強化されない）。暗闇の時間内に能動レバーを押しても、更なる暗がりの期間を生まない。ラットは２０分間当該ケージ内に据えられ、そして各レバーの回数は本実験の間カウントされる。
【０１６３】
４つの条件付けの装置から構成される試験バッテリーは、全体的に自動化され、そしてコンピューター制御されている。それにより、実験者は当該試験の間に室内には存在していない。
【０１６４】
１．３−実験手順
このモデルは、明るく照射された環境に対するラットの嫌悪を使用している。慣れ親しむ期間及び学習する期間の間、ラットは、オペラント条件付けと関連して、当該試験装置の嫌悪光環境を制御することを学び：動物は、暗闇の期間を得るために、能動レバーを押すことを学ぶ。
【０１６５】
当該学習試験は、２つの期間から構成される：
−実験装置と慣れる期間１（１日目）
−試験を学習する期間２（２日目）。
【０１６６】
記録された変数
−能動レバー（ＡＬ）が押された回数
−非活動レバー（ＩＬ）が押された回数
【０１６７】
１．４−生成物
【表２】
2004530640.tif 000004
【０１６８】
１．５−生成物の投与
ＱＨＮＰＲペプチドは、５ｍｌの０．０１Ｎの酢酸当たり５００μｇの比率で懸濁され、そして次に、当該試験の１分前に、ラットの背側の尾の静脈内で、静脈内経路を介して５０μｇ／ｋｇの用量で投与するために、ＰＢＳで希釈される。
【０１６９】
【表３】
2004530640.tif 000005
【０１７０】
１．６−統計解析
両側の確率の、対応のないｔ検定は、２つの群のラットの、レバーを押す活動を比較するために使用された。
【０１７１】
２つのレバー間の違いを評価するために、両側の確率の、対応のあるｔ検定が、各群において、能動レバーが押された回数と、非活動レバーが押された回数とを比較するために使用された。
【０１７２】
２−結果
２．１−２つのレバーが試験期間内に押された回数の合計数
２つの試験期間内に、ＱＨＮＰＲペプチドで処置されたラットは、嫌悪光刺激回避試験において、コントロールラットよりも有意にあまり活動的でないことが証明された。
【表４】
2004530640.tif 000006
【０１７３】
２．２−レバー間の違い
２つの試験期間内に、コントロールのラットは、非活動レバーよりも有意に能動レバーを押す。
【０１７４】
このことは、２つのレバー間で違いのない、ＱＨＮＰＲペプチドで処理されたラットの場合と異なる。
【０１７５】
【表５】
2004530640.tif 000007
【０１７６】
３−結論
これらの実験条件のもと、２つの試験期間内に、ＱＨＮＰＲペプチドで処理されたラットが、嫌悪光刺激回避試験において、コントロールのラットよりも有意に能動的でないことを証明している。更に、彼らは、２つのレバー間で違いがないので、学習していないことを示している。
【０１７７】
これらのラットは侵害受容性の光刺激に対してあまり感受性がないか、又は彼らは実験的な光の環境のストレスに対してより感受性がある。これらのラットが、試験の間満足の行く運動及び探索活動を有することが直接的に観察されたことを考慮すると、彼らが、自身の行動を説明する嫌悪のある刺激に対しあまり感受性がないことは事実である。このように、当該ペプチドは鎮痛活性を示す。
【０１７８】
コントロールラットは、第一期間と第二期間の両方で、当該レバーを操作することに関して満足の行く活動を示し、そして能動レバーと非活動レバーとの違いを示す。
【図面の簡単な説明】
【図１−Ａ】
１０μＭの、合成ＮＥＰ阻害剤であるホスホラミドンの存在下又は非存在下での、サブスタンスＰの加水分解（２５ｎＭ）に対する脊髄膜タンパク質濃度の影響。各点は、２５０μｌの最終量のＴｒｉｓ／ＨＣｌ緩衝液中で３０℃で１５分インキュベートされた脊髄膜によって加水分解された３Ｈ−サブスタンスＰのパーセントを表す。
【図１−Ｂ】
１０μＭの終濃度の異なるペプチダーゼ阻害剤：ＡＣＥ阻害剤であるカプトプリル、ＣＰＢ及びＤＰＰＩＶ阻害剤であるＧＥＭＳＡ及びＤＰＰＩＶ阻害剤の存在下又は非存在下でのラット脊髄膜調製物によるサブスタンスＰの加水分解（１２．５ｎＭ）の時間経過。各点は、２５０μｌの最終量のＴｒｉｓ／ＨＣｌ緩衝液中で３０℃で１５分インキュベートされた２５０μｇの膜タンパク質によって加水分解された３Ｈ−サブスタンスＰのパーセントを表す。
【図２−Ａ】
１０μＭの終濃度の異なるペプチダーゼ阻害剤：ＮＥＰ阻害剤であるホスホラミドン、ＮＥＰ阻害剤であるチオルファン、ＣＰＢ及びＤＰＰＩＶ阻害剤、ＳＭＲ１−ＱＨＮＰＲ単独又はＣＰＢ及びＤＰＰＩＶ阻害剤と組み合わせたものの存在下又は非存在下での、脊髄スライスにおけるＭｅｔ−エンケファリナーゼ活性。コントロールは、組織スライスの不在下でのＭｅｔ−エンケファリンの回収を表す。値は、ＲＩＡ解析によって決定され（μＭ）、そして１ｍｌの最終量のＫＲＢＧ緩衝液中での１ｍｇの新鮮な組織のスライスを用いた２５℃でのインキュベーションの２０分後に回収された、無傷で免疫反応性のＭｅｔ−エンケファリンの濃度（２つの値の平均）を表す。
【図２−Ｂ】
値は、ＲＰ−ＨＰＬＣ解析によって決定され（１８．９分の保持時間でのピーク高）、そして１ｍｌの最終量のＫＲＢＧ緩衝液中での１ｍｇの新鮮な組織のスライスを用いた２５℃でのインキュベーションの２０分後に回収された、無傷で免疫反応性のＭｅｔ−エンケファリンの濃度（２つの値の平均）を表す。
【図３−Ａ】
１０μＭの終濃度の異なるペプチダーゼ阻害剤：ＮＥＰ阻害剤であるホスホラミドン、ＮＥＰ阻害剤であるチオルファン、ＣＰＢ及びＤＰＰＩＶ阻害剤、ＳＭＲ１−ＱＨＮＰＲ単独又はＣＰＢ及びＤＰＰＩＶ阻害剤と組み合わせたものの存在下又は非存在下での、脊髄スライスによるサブスタンスＰの加水分解（２５ｎＭ）。コントロールは、組織スライスの不在下でのサブスタンスＰの加水分解を表す。各点は、１ｍｌの最終量のＫＲＢＧ緩衝液中で２５℃でインキュベートされた１ｍｇの新鮮な組織のスライスによって加水分解された３ＨサブスタンスＰの加水分解を表す。
【図３−Ｂ】
ラット脊髄膜調製物による３Ｈ−サブスタンスＰ（１２．５ｎＭ）分解の、ＳＭＲ１−ＱＨＮＰＲによる濃度依存性阻害。ＮＥＰ阻害剤であるホスホラミドン及び、ＣＰＢ及びＤＰＰＩＶ阻害剤であるＧＥＭＳＡ及びＤＰＰＩＶ阻害剤との比較。ＱＨＮＰＲペプチド単独又はＣＰＢ及びＤＰＰＩＶ阻害剤と組み合わせたものによって発揮された阻害活性間の比較。各点は、２５０μｌのＴｒｉｓ／ＨＣｌ緩衝液中の２５０μｇの膜タンパク質との２５℃でのインキュベーションの１０分後の、無傷の３Ｈ−サブスタンスＰの平均回収率（パーセント）を意味する（２つの値の平均）。
【図４−Ａ】
種々の末梢ラット組織膜のサブスタンスＰ分解活性及び腎の膜に対するＳＭＲ１−ＱＨＮＰＲ（シアロルフィン）の用量応答性の阻害能。組織の膜調製物のエンドペプチダーゼ活性は、２５ｎＭの［３Ｈ］サブスタンスＰを用いて、１０μＭのベスタチンの存在下で決定された。ｐＭ／分／μｇの膜タンパク質で表した酵素の比活性は、１０μＭのシアロルフィン又はＮＥＰ阻害剤（１０μＭのホスホラミドン又は１μＭのチオルファン）の非存在下及び存在下で決定される。
【図４−Ｂ】
ラット腎膜調製物による［３Ｈ］サブスタンスＰ分解の、シアロルフィンによる濃度依存性阻害。各点は、回収され、そして阻害剤無しの速度−阻害剤の存在下での速度／阻害剤無しの速度のパーセンテージとして算出した３２０ｎＭの無傷の［３Ｈ］サブスタンスＰのパーセンテージを表し、そして（＊）は４つの値の平均±ＳＤを表す。シアロルフィン濃度はｎＭで表され、そしてＢ ｒｉｇｈｔにおいてｌｏｇでプロットされた。膜酵素のタンパク質濃度は、初速度の測定条件に従い決定された。
【図５Ａ】
ラット腎膜によるサブスタンスＰのエンドプロテアーゼ分解活性に対するシアロルフィンの阻害活性の未変換プロット（図５Ａ）及び二重逆数プロット（図５Ｂ）及びディクソンプロット解析の体表的なプロファイル。シアロルフィンの阻害能は、基質として、図Ａ及びＢで示した濃度の、及び図５Ｃの場合には１４〜２４ｎＭ（白三角）又は５６〜１０５ｎＭ（黒三角）のサブスタンスＰを用いることによって測定した。図５−Ａ及び図５−Ｂの阻害剤の濃度は、０（黒丸）、１５００（白丸）及び４５００ｎＭ（白色の菱形）とした。未変換プロット及び二重逆数プロットの各点は、２つ１組の実験の２つの独立した値の平均値を表す。実験は、初速度の測定条件のもと、２５０μｌのＴｒｉｓ−ＨＣｌ緩衝液中で２５℃で実施された。
【図５Ｂ】
ラット腎膜によるサブスタンスＰのエンドプロテアーゼ分解活性に対するシアロルフィンの阻害活性の未変換プロット（図５Ａ）及び二重逆数プロット（図５Ｂ）及びディクソンプロット解析の体表的なプロファイル。シアロルフィンの阻害能は、基質として、図Ａ及びＢで示した濃度の、及び図５Ｃの場合には１４〜２４ｎＭ（白三角）又は５６〜１０５ｎＭ（黒三角）のサブスタンスＰを用いることによって測定した。図５−Ａ及び図５−Ｂの阻害剤の濃度は、０（黒丸）、１５００（白丸）及び４５００ｎＭ（白色の菱形）とした。未変換プロット及び二重逆数プロットの各点は、２つ１組の実験の２つの独立した値の平均値を表す。実験は、初速度の測定条件のもと、２５０μｌのＴｒｉｓ−ＨＣｌ緩衝液中で２５℃で実施された。
【図５Ｃ】
ラット腎膜によるサブスタンスＰのエンドプロテアーゼ分解活性に対するシアロルフィンの阻害活性の未変換プロット（図５Ａ）及び二重逆数プロット（図５Ｂ）及びディクソンプロット解析の体表的なプロファイル。シアロルフィンの阻害能は、基質として、図Ａ及びＢで示した濃度の、及び図５Ｃの場合には１４〜２４ｎＭ（白三角）又は５６〜１０５ｎＭ（黒三角）のサブスタンスＰを用いることによって測定した。図５−Ａ及び図５−Ｂの阻害剤の濃度は、０（黒丸）、１５００（白丸）及び４５００ｎＭ（白色の菱形）とした。未変換プロット及び二重逆数プロットの各点は、２つ１組の実験の２つの独立した値の平均値を表す。実験は、初速度の測定条件のもと、２５０μｌのＴｒｉｓ−ＨＣｌ緩衝液中で２５℃で実施された。
【図６Ａ】
シアロルフィンの静脈内投与後の、ラットにおける有害な刺激に対する疼痛反応。３分の試験期間は、シアロルフィン又はその担体の、ラットの尾の静脈に対する静脈内投与の５分後に実施された。ナロキソン（０．３ｍｇ／ｋｇ体重）が、シアロルフィンの投与の１５分前に皮下から注射された。３分の試験期間内の、中心領域にいる時間（図６−Ｃ）（ピン無しのオープンフィールドの中央にある四角）及び端の四角での活動（図６−Ａ及び６−Ｂ）（ピンが敷かれている）。各値は、１群当たり８匹の動物の平均±ＳＥＭを表す。１＝端の四角を通過する回数；２＝端の四角の上で立つ回数；３＝逃避反応の回数；４＝聞き取り可能な発声の回数及び５＝中心領域にいた時間。コントロールの群は、担体で処置したラットにおける疼痛反応に相当した。５０μｇ／ｋｇシアロルフィン、１００μｇ／ｋｇシアロルフィン、１００μｇ／ｋｇシアロルフィン＋ナロキソン０．３ｍｇ／ｋｇ。
【図６Ｂ】
シアロルフィンの静脈内投与後の、ラットにおける有害な刺激に対する疼痛反応。３分の試験期間は、シアロルフィン又はその担体の、ラットの尾の静脈に対する静脈内投与の５分後に実施された。ナロキソン（０．３ｍｇ／ｋｇ体重）が、シアロルフィンの投与の１５分前に皮下から注射された。３分の試験期間内の、中心領域にいる時間（図６−Ｃ）（ピン無しのオープンフィールドの中央にある四角）及び端の四角での活動（図６−Ａ及び６−Ｂ）（ピンが敷かれている）。各値は、１群当たり８匹の動物の平均±ＳＥＭを表す。１＝端の四角を通過する回数；２＝端の四角の上で立つ回数；３＝逃避反応の回数；４＝聞き取り可能な発声の回数及び５＝中心領域にいた時間。コントロールの群は、担体で処置したラットにおける疼痛反応に相当した。５０μｇ／ｋｇシアロルフィン、１００μｇ／ｋｇシアロルフィン、１００μｇ／ｋｇシアロルフィン＋ナロキソン０．３ｍｇ／ｋｇ。
【図６Ｃ】
シアロルフィンの静脈内投与後の、ラットにおける有害な刺激に対する疼痛反応。３分の試験期間は、シアロルフィン又はその担体の、ラットの尾の静脈に対する静脈内投与の５分後に実施された。ナロキソン（０．３ｍｇ／ｋｇ体重）が、シアロルフィンの投与の１５分前に皮下から注射された。３分の試験期間内の、中心領域にいる時間（図６−Ｃ）（ピン無しのオープンフィールドの中央にある四角）及び端の四角での活動（図６−Ａ及び６−Ｂ）（ピンが敷かれている）。各値は、１群当たり８匹の動物の平均±ＳＥＭを表す。１＝端の四角を通過する回数；２＝端の四角の上で立つ回数；３＝逃避反応の回数；４＝聞き取り可能な発声の回数及び５＝中心領域にいた時間。コントロールの群は、担体で処置したラットにおける疼痛反応に相当した。５０μｇ／ｋｇシアロルフィン、１００μｇ／ｋｇシアロルフィン、１００μｇ／ｋｇシアロルフィン＋ナロキソン０．３ｍｇ／ｋｇ。
【図１Ａ】
2004530640.tif 000008
【図１Ｂ】
2004530640.tif 000009
【図２Ａ】
2004530640.tif 000010
【図２Ｂ】
2004530640.tif 000011
【図３Ａ】
2004530640.tif 000012
【図３Ｂ】
2004530640.tif 000013
【図４Ａ】
2004530640.tif 000014
【図４Ｂ】
2004530640.tif 000015
【図５Ａ】
2004530640.tif 000016
【図５Ｂ】
2004530640.tif 000017
【図５Ｃ】
2004530640.tif 000018
【図６Ａ】
2004530640.tif 000019
【図６Ｂ】
2004530640.tif 000020
【図６Ｃ】
2004530640.tif 000021
【国際公開パンフレット】
2004530640.tif 000022
2004530640.tif 000023
2004530640.tif 000024
2004530640.tif 000025
2004530640.tif 000026
2004530640.tif 000027
2004530640.tif 000028
2004530640.tif 000029
2004530640.tif 000030
2004530640.tif 000031
2004530640.tif 000032
2004530640.tif 000033
2004530640.tif 000034
2004530640.tif 000035
2004530640.tif 000036
2004530640.tif 000037
2004530640.tif 000038
2004530640.tif 000039
2004530640.tif 000040
2004530640.tif 000041
2004530640.tif 000042
2004530640.tif 000043
2004530640.tif 000044
2004530640.tif 000045
2004530640.tif 000046
2004530640.tif 000047
2004530640.tif 000048
2004530640.tif 000049
2004530640.tif 000050
2004530640.tif 000051
2004530640.tif 000052
2004530640.tif 000053
2004530640.tif 000054
2004530640.tif 000055
2004530640.tif 000056
2004530640.tif 000057
2004530640.tif 000058
2004530640.tif 000059
2004530640.tif 000060
2004530640.tif 000061
2004530640.tif 000062
2004530640.tif 000063
2004530640.tif 000064
2004530640.tif 000065
2004530640.tif 000066
2004530640.tif 000067
2004530640.tif 000068
2004530640.tif 000069
2004530640.tif 000070
2004530640.tif 000071
2004530640.tif 000072
2004530640.tif 000073
2004530640.tif 000074
2004530640.tif 000075
2004530640.tif 000076
2004530640.tif 000077
2004530640.tif 000078
2004530640.tif 000079
2004530640.tif 000080
2004530640.tif 000081
2004530640.tif 000082
【国際公開パンフレット（コレクトバージョン）】
2004530640.tif 000083
【国際調査報告】
2004530640.tif 000084
2004530640.tif 000085
2004530640.tif 000086
2004530640.tif 000087